(57)【特許請求の範囲】
【請求項１】
携帯型電気エネルギー貯蔵装置の収集充電分配装置のコントローラを動作させる方法であって、
前記携帯型電気エネルギー貯蔵装置の収集充電分配装置のコントローラにより、携帯型電気エネルギー貯蔵装置の収集充電分配装置において、ユーザーから携帯型電気エネルギー貯蔵装置に対する要求を受け取るステップと、
前記携帯型電気エネルギー貯蔵装置の収集充電分配装置の前記コントローラにより、受け取った前記ユーザーのユーザープロファイルに基づいて、前記携帯型電気エネルギー貯蔵装置の収集充電分配装置の内から特定の性能特性を有する携帯型電気エネルギー貯蔵装置を自動的に選択するステップと、
前記選択された携帯型電気エネルギー貯蔵装置を前記ユーザーのために自動的にリリースするステップと、
前記受け取ったユーザープロファイルに基づいて、前記ユーザーによって使用される前記携帯型電気エネルギー貯蔵装置から放出するべき特定レベルのエネルギーを決定するステップと、
前記決定された特定のレベルで前記携帯型電気エネルギー貯蔵装置からエネルギーを放出するように前記携帯型電気エネルギー貯蔵装置のセキュリティシステムを構成するステップと、
を有する方法。
【請求項２】
前記自動的に選択するステップは、前記携帯型電気エネルギー貯蔵装置の収集充電分配装置の使用のための相対的に低いサブスクリプションレベルを示す別のユーザープロファイルに関連付けられた別のユーザーのために選択されることになる前記携帯型電気エネルギー貯蔵装置の収集充電分配装置内の別の携帯型電気エネルギー貯蔵装置よりも優れた性能特性を有する携帯型電気エネルギー貯蔵装置を選択するステップを含む請求項１に記載の方法。
【請求項３】
前記性能特性は、前記携帯型電気エネルギー貯蔵装置の使用年数、前記携帯型電気エネルギー貯蔵装置の容量、前記携帯型電気エネルギー貯蔵装置の現在の充電レベル、前記携帯型電気エネルギー貯蔵装置の充電容量に対する充電レベルの百分率、前記携帯型電気エネルギー貯蔵装置がそれまでに経験している充電サイクルの合計累積数、前記携帯型電気エネルギー貯蔵装置の重放電の回数又は頻度、前記携帯型電気エネルギー貯蔵装置の温度曝露、前記携帯型電気エネルギー貯蔵装置の充電サイクルの数又は頻度を表す値、前記携帯型電気エネルギー貯蔵装置が過激な運転プロファイルを有する運転者によって使用されたことがあるかどうかのうちの１つ以上を含む請求項２に記載の方法。
【請求項４】
前記携帯型電気エネルギー貯蔵装置の収集充電分配装置の前記構成されたコントローラにより、高加速に関連する前記運転者の加速器読取値及び携帯型電気エネルギー貯蔵装置の前記運転者の使用の際の電流引出しレベルのうちの１つ以上に基づいて前記運転プロファイルに関する情報を受け取ることにより、運転者の運転プロファイルを決定するステップを更に有する請求項３に記載の方法。
【請求項５】
前記携帯型電気エネルギー貯蔵装置をリリースする前に、使用済みの携帯型電気エネルギー貯蔵装置が前記ユーザーから前記携帯型電気エネルギー貯蔵装置の収集充電分配装置によって受け取られていることを示す信号を受け取るステップを更に有する請求項２に記載の方法。
【請求項６】
前記構成するステップは、前記携帯型電気エネルギー貯蔵装置のリリースの前に実行される請求項１に記載の方法。
【請求項７】
無線接続上において前記ユーザープロファイルを受け取るステップを更に有する請求項１に記載の方法。
【請求項８】
前記ユーザープロファイルを受け取るステップは、前記ユーザーのモバイル装置を介して前記ユーザープロファイルを受け取るステップを含む請求項７に記載の方法。
【請求項９】
前記携帯型電気エネルギー貯蔵装置を自動的に選択するステップは、前記ユーザープロファイル上において示されている前記ユーザーによって採用された複数の過去のルートのいくつかの特徴を示す過去のルート情報に基づいて前記携帯型電気エネルギー貯蔵装置を選択するステップを含む請求項１に記載の方法。
【請求項１０】
前記携帯型電気エネルギー貯蔵装置を自動的に選択するステップは、前記ユーザープロファイル上において示されている１つ以上の車両仕様に基づいて前記携帯型電気エネルギー貯蔵装置を選択するステップを含む請求項１に記載の方法。
【請求項１１】
前記携帯型電気エネルギー貯蔵装置を自動的に選択するステップは、前記受け取ったユーザープロファイルをその他のユーザープロファイルと比較するように構成されたユーザーの間における優先順位付けシステムに基づいて前記携帯型電気エネルギー貯蔵装置を選択するステップを含む請求項１に記載の方法。
【請求項１２】
携帯型電気エネルギー貯蔵装置充電器と、
携帯型電気エネルギー貯蔵装置リリースシステムと、
前記携帯型電気エネルギー貯蔵装置リリースシステムに結合されたセキュリティシステムと、
ユーザーインターフェイスと、
前記携帯型電気エネルギー貯蔵装置充電器、前記携帯型電気エネルギー貯蔵装置リリースシステム、前記ユーザーインターフェイス、及び前記セキュリティシステムに結合されたコントローラと、
を有し、
前記コントローラは、少なくとも１つのプロセッサと、前記少なくとも１つのプロセッサに結合された少なくとも１つの通信モジュールと、を含み、
前記少なくとも１つのプロセッサは、ユーザーの受け取ったユーザープロファイルに基づいて、特定の性能特性を有する携帯型電気エネルギー貯蔵装置を前記ユーザーのために選択し、前記ユーザーによって使用される前記選択された電気エネルギー貯蔵装置を自動的にリリースし、前記受け取ったユーザープロファイルに基づいて、前記ユーザーによって使用される前記携帯型電気エネルギー貯蔵装置から放出するべき特定レベルのエネルギーを決定し、前記決定された特定のレベルで前記携帯型電気エネルギー貯蔵装置からエネルギーを放出するように前記携帯型電気エネルギー貯蔵装置のセキュリティシステムを構成する、
ように構成されている、携帯型電気エネルギー貯蔵装置の収集充電分配装置。
【請求項１３】
前記少なくとも１つのプロセッサは、前記携帯型電気エネルギー貯蔵装置の収集充電分配装置において前記ユーザーから携帯型電気エネルギー貯蔵装置に対する要求を受け取るように結合されている請求項１２に記載の携帯型電気エネルギー貯蔵装置の収集充電分配装置。
【請求項１４】
前記携帯型電気エネルギー貯蔵装置の前記選択は、前記ユーザーが前記要求時点で割増価格でその他の利用可能な車両電池よりも高性能の携帯型電気エネルギー貯蔵装置の提案を受けることを好んでいるという前記ユーザープロファイル内の通知に更に基づいている請求項１３に記載の携帯型電気エネルギー貯蔵装置の収集充電分配装置。
【請求項１５】
前記少なくとも１つのプロセッサは、前記携帯型電気エネルギー貯蔵装置の収集充電分配装置がその他の利用可能な車両電池よりも高性能の携帯型電気エネルギー貯蔵装置を前記ユーザーのために選択できるという選択肢を前記ユーザーに対して提案し、前記提案に応答した入力を受け取り、前記入力に従って前記携帯型電気エネルギー貯蔵装置の選択を実行する請求項１４に記載の携帯型電気エネルギー貯蔵装置の収集充電分配装置。
【請求項１６】
前記ユーザーのための前記携帯型電気エネルギー貯蔵装置の前記選択は、前記携帯型電気エネルギー貯蔵装置の収集充電分配装置の使用のための相対的に低いサブスクリプションレベルを示す別のユーザープロファイルに関連付けられた別のユーザーのために選択されることになる前記携帯型電気エネルギー貯蔵装置の収集充電分配装置内の別の携帯型電気エネルギー貯蔵装置よりも優れた性能特性を有する携帯型電気エネルギー貯蔵装置の選択を含む請求項１２に記載の携帯型電気エネルギー貯蔵装置の収集充電分配装置。
【請求項１７】
前記性能特性は、前記携帯型電気エネルギー貯蔵装置の使用年数、前記携帯型電気エネルギー貯蔵装置の容量、前記携帯型電気エネルギー貯蔵装置の現在の充電レベル、前記携帯型電気エネルギー貯蔵装置の充電容量に対する充電レベルの百分率、前記携帯型電気エネルギー貯蔵装置がそれまでに経験している充電サイクルの合計累積数、前記携帯型電気エネルギー貯蔵装置の重放電の回数又は頻度、前記携帯型電気エネルギー貯蔵装置の温度曝露、前記携帯型電気エネルギー貯蔵装置の充電サイクルの数又は頻度を表す値、前記携帯型電気エネルギー貯蔵装置が過激な運転プロファイルを有する運転者によって使用されたことがあるかどうかのうちの１つ以上を含む請求項１６に記載の携帯型電気エネルギー貯蔵装置の収集充電分配装置。
【請求項１８】
前記少なくとも１つのプロセッサは、運転者の運転プロファイルを決定するように更に構成されており、この決定は、高加速に関連付けられる前記運転者の加速器読取値及び携帯型電気エネルギー貯蔵装置の前記運転者の使用の際の電流引出しレベルのうちの１つ以上に基づいて前記運転プロファイルに関する情報を受け取ることによって実行される請求項１２に記載の携帯型電気エネルギー貯蔵装置の収集充電分配装置。
【請求項１９】
前記少なくとも１つのプロセッサは、前記携帯型電気エネルギー貯蔵装置をリリースする前に、使用済みの携帯型電気エネルギー貯蔵装置が前記ユーザーから前記携帯型電気エネルギー貯蔵装置の収集充電分配装置によって受け取られていることを示す信号を受け取るように更に構成されている請求項１２に記載の携帯型電気エネルギー貯蔵装置の収集充電分配装置。
【請求項２０】
命令を記憶する一時的ではないコンピュータ可読媒体であって、前記命令は、少なくとも１つのコンピュータシステムによって実行された際に、前記少なくとも１つのコンピュータシステムに、
携帯型電気エネルギー貯蔵装置の収集充電分配装置においてユーザーから携帯型電気エネルギー貯蔵装置に対する要求と、前記ユーザーのユーザープロファイルとを受け取ることと、
前記ユーザーのユーザープロファイルに基づいて、前記携帯型電気エネルギー貯蔵装置の収集充電分配装置の内から特定の性能特性を有する携帯型電気エネルギー貯蔵装置を自動的に選択することと、
前記選択された携帯型エネルギー貯蔵装置の前記ユーザーに対する自動的なリリースを制御することと、
前記ユーザープロファイルに基づいて、前記ユーザーによって使用される前記携帯型電気エネルギー貯蔵装置から放出するべき特定レベルのエネルギーを決定することと、
前記決定された特定のレベルで前記携帯型電気エネルギー貯蔵装置からエネルギーを放出するように前記携帯型電気エネルギー貯蔵装置のセキュリティシステムを構成することと、
を実行させる、媒体。
【請求項２１】
携帯型電気エネルギー貯蔵装置の収集充電分配装置のコントローラを動作させる方法であって、
前記携帯型電気エネルギー貯蔵装置の収集充電分配装置において、前記携帯型電気エネルギー貯蔵装置の収集充電分配装置のコントローラにより、ユーザーから携帯型電気エネルギー貯蔵装置に対する要求と、前記ユーザーのユーザープロファイルとを受け取るステップと、
前記受け取った要求に関して無線認証するステップと、
前記無線認証に基づいて、選択された携帯型電気エネルギー貯蔵装置を前記ユーザーのためにリリースするステップと、
前記ユーザープロファイルに基づいて、前記ユーザーによって使用される前記携帯型電気エネルギー貯蔵装置から放出するべき特定レベルのエネルギーを決定するステップと、
前記決定された特定のレベルで前記携帯型電気エネルギー貯蔵装置からエネルギーを放出するように前記携帯型電気エネルギー貯蔵装置のセキュリティシステムを構成するステップと、
を有する方法。
【請求項２２】
無線Ｂｌｕｅｔｏｏｔｈプロトコル、ＮＦＣ、ＲＦＩＤの少なくとも一つに基づいて前記無線認証がなされる、請求項２１に記載の方法。
【請求項２３】
ユーザー識別装置、ユーザー識別キー、ユーザー識別カード、ユーザー識別媒体、クレジットカード、スマートカード、デビットカード、ギフトカード、プリペイドカード、運転免許証、携帯型電気エネルギー貯蔵装置の少なくとも一つの無線通信に基づいて、前記無線認証がなされる、請求項２１に記載の方法。
【請求項２４】
命令を記憶する一時的ではないコンピュータ可読媒体であって、前記命令は、少なくとも１つのコンピュータシステムによって実行された際に、前記少なくとも１つのコンピュータシステムに、
携帯型電気エネルギー貯蔵装置の収集充電分配装置において、前記携帯型電気エネルギー貯蔵装置の収集充電分配装置のコントローラによって、ユーザーから携帯型電気エネルギー貯蔵装置に対する要求と、前記ユーザーのユーザープロファイルとを受け取ること、
前記受け取った要求に関して無線認証を行うこと、
前記無線認証に基づいて、選択された携帯型電気エネルギー貯蔵装置を前記ユーザーのためにリリースすること、
前記ユーザープロファイルに基づいて、前記ユーザーによって使用される前記携帯型電気エネルギー貯蔵装置から放出するべき特定レベルのエネルギーを決定すること、
前記決定された特定のレベルで前記携帯型電気エネルギー貯蔵装置からエネルギーを放出するように前記携帯型電気エネルギー貯蔵装置のセキュリティシステムを構成すること、
を実行させる、媒体。
【請求項２５】
無線Ｂｌｕｅｔｏｏｔｈプロトコル、ＮＦＣ、ＲＦＩＤの少なくとも一つに基づいて前記無線認証がなされる、請求項２４に記載の媒体。
【請求項２６】
ユーザー識別装置、ユーザー識別キー、ユーザー識別カード、ユーザー識別媒体、クレジットカード、スマートカード、デビットカード、ギフトカード、プリペイドカード、運転免許証、携帯型電気エネルギー貯蔵装置の少なくとも一つの無線通信に基づいて、前記無線認証がなされる、請求項２４に記載の媒体。
【請求項２７】
携帯型電気エネルギー貯蔵装置充電器と、
携帯型電気エネルギー貯蔵装置リリースシステムと、
前記携帯型電気エネルギー貯蔵装置リリースシステムに結合されたセキュリティシステムと、
ユーザーインターフェイスと、
前記携帯型電気エネルギー貯蔵装置充電器、前記携帯型電気エネルギー貯蔵装置リリースシステム、前記ユーザーインターフェイス、及び前記セキュリティシステムに結合されたコントローラと、
を有し、
前記コントローラは、
少なくとも１つのプロセッサと、
前記少なくとも１つのプロセッサに結合された少なくとも１つの通信モジュールと、
を含み、
前記少なくとも１つのプロセッサは、
携帯型電気エネルギー貯蔵装置の収集充電分配装置において、ユーザーからの携帯型電気エネルギー貯蔵装置の要求に関して無線認証を行い、
前記無線認証に基づいて、選択された携帯型電気エネルギー貯蔵装置を前記ユーザーのためにリリースし、
前記ユーザーからのユーザープロファイルに基づいて、前記ユーザーによって使用される前記携帯型電気エネルギー貯蔵装置から放出するべき特定レベルのエネルギーを決定し、
前記決定された特定のレベルで前記携帯型電気エネルギー貯蔵装置からエネルギーを放出するように前記携帯型電気エネルギー貯蔵装置のセキュリティシステムを構成する、
ように構成されている、携帯型電気エネルギー貯蔵装置の収集充電分配装置。
【請求項２８】
無線Ｂｌｕｅｔｏｏｔｈプロトコル、ＮＦＣ、ＲＦＩＤの少なくとも一つに基づいて前記無線認証がなされる、請求項２７に記載の携帯型電気エネルギー貯蔵装置の収集充電分配装置。
【請求項２９】
ユーザー識別装置、ユーザー識別キー、ユーザー識別カード、ユーザー識別媒体、クレジットカード、スマートカード、デビットカード、ギフトカード、プリペイドカード、運転免許証、携帯型電気エネルギー貯蔵装置の少なくとも一つの無線通信に基づいて、前記無線認証がなされる、請求項２７に記載の携帯型電気エネルギー貯蔵装置の収集充電分配装置。
【発明の詳細な説明】
【技術分野】
【０００１】
関連出願の相互参照
本出願は、３５Ｕ．Ｓ．Ｃ．１１９（ｅ）の下で、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１１年７月２６日に出願された米国仮特許出願第６１／５１１，９００号（代理人整理番号１７０１７８．４０１Ｐ１）、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ，ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６号（代理人整理番号１７０１７８．４０１Ｐ２）、「ＡＰＰＡＲＡＴＵＳ，ＭＥＴＨＯＤ  ＡＮＤ  ＡＲＴＩＣＬＥ  ＦＯＲ  ＲＥＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ，ＢＥＴＷＥＥＮ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１１年９月１４日に出願された米国仮特許出願第６１／５３４，７５３３５号（代理人整理番号１７０１７８．４０２）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ，ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ  ＳＵＣＨ，ＡＳ  ＢＡＴＴＥＲＩＥＳ」と題し２０１１年９月１４日に出願された米国仮特許出願第６１／５３４，７６１号（代理人整理番号１７０１７８．４０３Ｐ１）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ，ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ，ＳＵＣＨ  ＡＳ  ＢＡＴＴＥＲＩＥＳ，ＢＡＳＥＤ  ＯＮ  ＵＳＥＲ  ＰＲＯＦＩＬＥＳ」と題し２０１１年９月１４日に出願された米国仮特許出願第６１／５３４，７７２号（代理人整理番号１７０１７８．４０４Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１１年７月２６日に出願された米国仮特許出願第６１／５１１，８８７号（代理人整理番号１７０１７８．４０６Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１２年５月１６日に出願された米国仮特許出願第６１／６４７，９４１号（代理人整理番号１７０１７８．４０６Ｐ２）、「ＤＹＮＡＭＩＣＡＬＬＹ  ＬＩＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題し２０１１年７月２６日に出願された米国仮特許出願第６１／５１１，８８０号（代理人整理番号１７０１７８．４０７Ｐ１）、「ＡＰＰＡＲＡＴＵＳ，ＭＥＴＨＯＤ，ＡＮＤ  ＡＲＴＩＣＬＥ  ＦＯＲ  ＰＨＹＳＩＣＡＬ  ＳＥＣＵＲＩＴＹ  ＯＦ  ＰＯＷＥＲ  ＳＴＯＲＡＧＥ，ＤＥＶＩＣＥＳ  ＩＮ  Ｖ���ＨＩＣＬＥＳ」と題し２０１１年１１月８日に出願された米国仮特許出願第６１／５５７，１７０号（代理人整理番号１７０１７８．４０８Ｐ１）、「ＡＰＰＡＲＡＴＵＳ，ＭＥＴＨＯＤ  ＡＮＤ  ＡＲＴＩＣＬＥ  ＦＯＲ  Ａ  ＰＯＷＥＲ  ＳＴＯＲＡＧＥ  ＤＥＶＩＣＥ，ＣＯＭＰＡＲＴＭＥＮＴ」と題し２０１１年１２月２９日に出願された米国仮特許出願第６１／５８１，５６６号（代理人整理番号１７０１７８．４１２Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題し２０１２年２月２１日に出願された米国仮特許出願第６１／６０１，４０４号（代理人整理番号１７０１７８．４１７Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＬＯＣＡＴＩＯＮＳ  ＯＦ  ＰＯＷＥＲ，ＳＴＯＲＡＧＥ  ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１２年２月２２日に出願された米国仮特許出願第６１／６０１，９４９号（代理人整理番号１７０１７８．４１８Ｐ１）、及び「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ，ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ，ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥ」と題し２０１２年２月２２日に出願された米国仮特許出願第６１／６０１，９５３号（代理人整理番号１７０１７８．４１９Ｐ１）の出願日の利益を請求する。
【０００２】
本開示は、一般に、様々な分野又は用途（例えば、乗物用途と非乗物用途）での使用に適することがある充電式電力貯蔵装置（例えば、二次電池、スーパーキャパシタ、ウルトラキャパシタ）の分配に関連する。
【背景技術】
【０００３】
携帯型電力貯蔵装置には様々な使用法又は用途がある。
【０００４】
１つのそのような用途は、輸送の分野である。ハイブリッド自動車と電気自動車が、一般的になってきている。そのような自動車は、従来の内燃機関車両より優れた幾つかの利点を達成することがある。例えば、ハイブリッド又は電気自動車は、より高い燃料経済性を達成することがあり、排気管汚染がほとんどゼロのことがある。特に、電気自動車は、排気管汚染がないだけでなく、より低い全体汚染と関連付けられることがある。例えば、電力は、再生可能資源（例えば、太陽光発電、水力発電）から生成される。また、例えば、電力は、空気汚染を生じない発電設備（例えば、原子力発電所）で生成されることがある。また、例えば、電力は、比較的「クリーン燃焼」の燃料（例えば、天然ガス）を燃やす発電プラントで生成されることがあるが、この発電プラントは、内燃機関より高い効率を有し、かつ／又は個人車両で使用するには大きすぎ、コストが高すぎ又は高価すぎる汚染防止又は除去システム（例えば、産業用空気スクラバ）を使用することがある。
【０００５】
内燃機関によって出力が供給されるスクータ及び／又はモーターバイクなどの個人用輸送車両は、例えば、アジアの多くの大都市の多くの場所に広く普及している。そのようなスクータ及び／又はモーターバイクは、特に自動車、乗用車又はトラックと比較したときに安価な傾向がある。また、多数のエンジンスクータ及び／又はモーターバイクを有する都市は、人口密度がきわめて高くかつ高度な空気汚染に晒されている傾向がある。最近、多くのエンジンスクータ及び／又はモーターバイクは、比較的低汚染の個人輸送手段を装備している。例えば、そのようなスクータ及び／又はモーターバイクは、もっと大きい車両より燃費率が高いことがある。幾つかのスクータ及び／又はモーターバイクは、基本的な汚染防止装置（例えば、触媒コンバータ）を装備していることもある。残念ながら、工場で指定された排気ガスレベルは、スクータ及び／又はモーターバイクが使用されたときにすぐに超えてしまい、かつ／又は、例えば触媒コンバータの意図的又は非意図的の取り外しによりスクータ及び／又はモーターバイクが改良されたときには維持されない。スクータ及び／又はモーターバイクの所有者又はオペレータは、自分の車両を維持する財源又は意欲に欠けることが多い。
【０００６】
空気汚染が、人間の健康に悪影響を及ぼし、様々な疾病の発生又は悪化と関連することが知られている（例えば、様々な報告が、空気汚染を、肺気腫、喘息、肺炎、嚢胞性線維症並びに様々な循環器病に結びつけている）。そのような疾病は、多くの生命を奪い、無数の人の生活の質を深刻に低下させる。
【発明の概要】
【発明が解決しようとする課題】
【０００７】
内燃機関に替わるゼロ排気管は、空気品質と、したがって多くの人々の健康に極めて有益である。
【０００８】
電気自動車のゼロ排気管排気の長所は理解されているが、多くの人々による電気自動車の採用は遅れている。理由の１つは、コスト、特に二次電池のコストであると考えられる。理由のもう１つは、バッテリの１回の充電で利用できる限られた運転範囲と、放電した二次電池を充電するのに必要な比較的長い時間（例えば、数時間）であると考えられる。
【０００９】
本明細書で述べる手法は、特に密集した都市と、財源が限られた人々において、ゼロ排気管排気技術の採用を制限してきた問題の幾つかに対処することができる。
【００１０】
例えば、本明細書で述べる手法の幾つかは、電力貯蔵装置（例えば、バッテリ、スーパー又はウルトラキャパシタ）を収集、充電、分配するための収集充電分配装置を使用し、この装置は、キオスク又は自動販売機と呼ばれることもある。そのような装置は、コンビニエンスストアや既存のガス又はガソリンスタンドなど、都市や他の地域のあちこちの様々な場所に分散されることがある。
【００１１】
収集充電分配装置は、エンドユーザによる使用のために満充電又はほぼ満充電の電気貯蔵装置の在庫を維持することがある。収集充電分配装置は、例えば、放電した電気貯蔵装置を、例えばエンドユーザから返却されたとき、収集、収容又は他の方法で受け入れ、その後のエンドユーザによる再使用のためにその電気貯蔵装置を充電することがある。
【００１２】
したがって、バッテリや他の電力貯蔵装置の蓄積電荷が終わりに近づいたとき、エンドユーザは、バッテリや他の電力貯蔵装置を単純に置き換えるか、交換するか、他の方法で交換することがある。これは、コスト並びに有限の範囲と比較的長い充電時間と関連した問題に応えることができる。
【００１３】
前述したように、二次電池や他の電力貯蔵装置は、比較的高価である。したがって、できるだけ少ない数の電力貯蔵装置を在庫し、同時にそれらの電力貯蔵装置の需要が満たされるようにすると好都合である。
【００１４】
これらの理由から、特定のユーザーニーズ及び好みに従って、利用可能な電力貯蔵装置を取得する能力は、このようなあらゆる試みの商業的成功にとって重要である。
【００１５】
携帯型電気エネルギー貯蔵装置の収集充電分配装置のコントローラを動作させる方法は、要約すると、携帯型電気エネルギー貯蔵装置の収集充電分配装置のコントローラにより、携帯型電気エネルギー貯蔵装置の収集充電分配装置においてユーザーから携帯型電気エネルギー貯蔵装置に対する要求を受け取るステップと、携帯型電気エネルギー貯蔵装置の収集充電分配装置のコントローラにより、受け取ったユーザーのユーザプロファイルに基づいて、携帯型電気エネルギー貯蔵装置の収集充電分配装置の内から特定の性能特性を有する携帯型電気エネルギー貯蔵装置を自動的に選択するステップと、選択された携帯型電気エネルギー貯蔵装置をユーザーのために自動的にリリースするステップと、を含む。
【００１６】
自動的に選択するステップは、携帯型電気エネルギー貯蔵装置の収集充電分配装置の使用のための相対的に低いサブスクリプションレベルを示す別のユーザープロファイルに関連付けられた別のユーザーのために選択されることになる携帯型電気エネルギー貯蔵装置の収集充電分配装置内の別の携帯型電気エネルギー貯蔵装置よりも優れた性能特性を有する携帯型電気エネルギー貯蔵装置を選択するステップを含んでもよい。性能特性は、携帯型電気エネルギー貯蔵装置の使用年数、携帯型電気エネルギー貯蔵装置の容量、携帯型電気エネルギー貯蔵装置の現在の充電レベル、携帯型電気エネルギー貯蔵装置の充電容量に対する充電レベルの百分率、携帯型電気エネルギー貯蔵装置がそれまで経験している充電サイクルの合計累積数、携帯型電気エネルギー貯蔵装置の重放電（ｄｅｅｐ  ｄｉｓｃｈａｒｇｅ）の回数又は頻度、携帯型電気エネルギー貯蔵装置の温度曝露、携帯型電気エネルギー貯蔵装置の充電サイクルの数又は頻度を表す値、携帯型電気エネルギー貯蔵装置が過激な運転プロファイルを有する運転者によって使用されたことがあるかどうかのうちの１つ以上を含んでもよい。
【００１７】
携帯型電気エネルギー貯蔵装置の収集充電分配装置のコントローラを動作させる方法は、携帯型電気エネルギー貯蔵装置の収集充電分配装置の構成されたコントローラにより、高加速に関係する運転者の加速器読取値及び携帯型電気エネルギー貯蔵装置の運転者の使用の際の電流引出しレベルのうちの１つ以上に基づいて運転プロファイルに関する情報を受け取ることにより、運転者の運転プロファイルを決定するステップを更に含んでもよい。
【００１８】
携帯型電気エネルギー貯蔵装置の収集充電分配装置のコントローラを動作させる方法は、携帯型電気エネルギー貯蔵装置をリリースする前に、使用済みの携帯型電気エネルギー貯蔵装置がユーザーから携帯型電気エネルギー貯蔵装置の収集充電分配装置によって受け取られていることを通知する信号を受け取るステップを更に含んでもよい。
【００１９】
携帯型電気エネルギー貯蔵装置の収集充電分配装置のコントローラを動作させる方法は、携帯型電気エネルギー貯蔵装置の収集充電分配装置のコントローラにより、受け取ったユーザープロファイルに基づいて、ユーザーによって使用される携帯型電気エネルギー貯蔵装置から放出するべき特定レベルのエネルギーを決定するステップと、携帯型電気エネルギー貯蔵装置の収集充電分配装置のコントローラにより、受け取ったユーザープロファイルに基づいて、ユーザーによって使用される決定された特定のレベルで携帯型電気エネルギー貯蔵装置からエネルギーを放出するように携帯型電気エネルギー貯蔵装置のセキュリティシステムを構成するステップと、を更に含んでもよい。
【００２０】
構成するステップは、携帯型電気エネルギー貯蔵装置のリリースの前に実行してもよい。
【００２１】
携帯型電気エネルギー貯蔵装置の収集充電分配装置のコントローラを動作させる方法は、無線接続上においてユーザープロファイルを受け取るステップを更に含んでもよい。
【００２２】
ユーザープロファイルを受け取るステップは、ユーザーのモバイル装置を介してユーザープロファイルを受け取るステップを含んでもよい。携帯型電気エネルギー貯蔵装置を自動的に選択するステップは、ユーザープロファイル上において示されているユーザーによって採用された複数の過去のルートのいくつかの特徴を示している過去のルート情報に基づいて携帯型電気エネルギー貯蔵装置を選択するステップを含んでもよい。携帯型電気エネルギー貯蔵装置を自動的に選択するステップは、ユーザープロファイル上において示されている１つ以上の車両仕様に基づいて携帯型電気エネルギー貯蔵装置を選択するステップを含んでもよい。携帯型電気エネルギー貯蔵装置を自動的に選択するステップは、受け取ったユーザープロファイルをその他のユーザープロファイルと比較するように構成されたユーザーの間における優先順位付けシステムに基づいて携帯型電気エネルギー貯蔵装置を選択するステップを含んでもよい。
【００２３】
携帯型電気エネルギー貯蔵装置の収集充電分配装置は、要約すると、携帯型電気エネルギー貯蔵装置充電器と、携帯型電気エネルギー貯蔵装置リリースシステムと、リリースシステムに結合されたセキュリティシステムと、ユーザーインターフェイスと、携帯型電気エネルギー貯蔵装置、リリースシステム、ユーザーインターフェイス、及びセキュリティシステムに結合されたコントローラと、を含み、コントローラは、少なくとも１つのプロセッサと、少なくとも１つのプロセッサに結合された少なくとも１つの通信モジュールと、を含み、少なくとも1つのプロセッサは、ユーザーの受け取ったユーザープロファイルに基づいて特定の性能特性を有する携帯型電気エネルギー貯蔵装置をユーザーのために選択するように構成されており、更には、選択された携帯型電気エネルギー貯蔵装置をユーザーによる使用のために自動的にリリースするように構成されている。
【００２４】
少なくとも１つのプロセッサは、携帯型電気エネルギー貯蔵装置の収集充電分配装置においてユーザーから携帯型電気エネルギー貯蔵装置に対する要求を受け取るように結合されてもよい。携帯型電気エネルギー貯蔵装置の選択は、ユーザーが要求時点で割増価格でその他の利用可能な車両電池よりも高性能の携帯型電気エネルギー貯蔵装置のオファーを受けることを好んでいるというユーザープロファイル内の通知に更に基づいたものであってもよい。少なくとも１つのプロセッサは、携帯型電気エネルギー貯蔵装置の収集充電分配装置がその他の利用可能な車両電池よりも高性能の携帯型電気エネルギー貯蔵装置をユーザーのために選択できるという選択肢をユーザーに対して提案してもよく、この提案に応答した入力を受け取ってもよく、その入力に従って携帯型電気エネルギー貯蔵装置の選択を実行してもよい。ユーザーのための携帯型電気エネルギー貯蔵装置の選択は、携帯型電気エネルギー貯蔵装置の収集充電分配装置の使用のための相対的に低いサブスクリプションレベルを示す別のユーザープロファイルに関連付けられた別のユーザーのために選択されることになる携帯型電気エネルギー貯蔵装置の収集充電分配装置内の別の携帯型電気エネルギー貯蔵装置よりも優れた性能特性を有する携帯型電気エネルギー貯蔵装置の選択を含んでもよい。性能特性は、携帯型電気エネルギー貯蔵装置の使用年数、携帯型電気エネルギー貯蔵装置の容量、携帯型電気エネルギー貯蔵装置の現在の充電レベル、携帯型電気エネルギー貯蔵装置の充電容量に対する充電レベルの百分率、携帯型電気エネルギー貯蔵装置がそれまで経験している充電サイクルの合計累積数、携帯型電気エネルギー貯蔵装置の重放電の回数又は頻度、携帯型電気エネルギー貯蔵装置の温度曝露、携帯型電気エネルギー貯蔵装置の充電サイクルの数又は頻度を表す値、携帯型電気エネルギー貯蔵装置が過激な運転プロファイルを有する運転者によって使用されたことがあるかどうかのうちの１つ以上を含んでもよい。少なくとも１つのプロセッサは、高加速に関連する運転者の加速器読取値と携帯型電気エネルギー貯蔵装置の運転者の使用の際の電流引出しレベルのうちの１つ以上に基づいて運転プロファイルに関する情報を受け取ることにより、運転者の運転プロファイルを決定するように更に構成してもよい。少なくとも１つのプロセッサは、携帯型電気エネルギー貯蔵装置をリリースする前に、使用済みの携帯型電気エネルギー貯蔵装置がユーザーから携帯型電気エネルギー貯蔵装置の収集充電分配装置によって受け取られていることを通知する信号を受け取るように、更に構成してもよい。
【００２５】
一時的ではないコンピュータ可読媒体は、要約すると、少なくとも１つのコンピュータシステムによって実行された際に、少なくとも１つのコンピュータシステムに、携帯型電気エネルギー貯蔵装置の収集充電分配装置においてユーザーから携帯型電気エネルギー貯蔵装置に対する要求を受け取ることと、携帯型電気エネルギー貯蔵装置の収集充電分配装置の内から特定の性能特性を有する携帯型電気エネルギー貯蔵装置を自動的に選択することと、選択された携帯型電気エネルギー貯蔵装置のユーザーに対する自動リリースを制御することと、を実行させる命令を記憶する一時的ではないコンピュータ可読媒体である。
【００２６】
命令は、少なくとも１つのコンピュータシステムによって実行された際に、少なくとも１つのコンピュータシステムに、ユーザーのユーザープロファイルを更に受け取らせてもよい。自動的な選択は、受け取ったユーザープロファイルに基づいたものであってもよい。
【００２７】
図面では、同一の参照番号は、類似の要素又は行為を示す。図面内の要素のサイズと相対位置は、必ずしも一律の倍率で描かれない。例えば、様々な要素の形状と角度は、一律の倍率で描かれておらず、これらの要素の幾つかは、図面の可読性を改善するために任意に拡大され位置決めされる。更に、描かれた要素の特定の形状は、特定の要素の実際形状に関する情報を伝えるものではなく、単に図面で理解し易いように選択されている。
【図面の簡単な説明】
【００２８】
【図１】１つの非限定的に示された実施形態による幾つかの電力貯蔵装置と収集充電分配装置を、電気スクータ又はモーターバイク、及び送電網によって提供される電気設備と共に示す概略図である。
【図２】１つの非限定的に示された実施形態による図１の収集充電分配装置のブロック図である。
【図３】非限定的な例示用の一実施形態による図１の携帯型電気エネルギー貯蔵装置のブロックダイアグラムである。
【図４】非限定的な例示用の一実施形態による図３の携帯型電気エネルギー貯蔵装置セキュリティシステムの概略図である。
【図５】非限定的な例示用の一実施形態による特定の携帯型電気エネルギー貯蔵装置の選択肢に対する顧客プロファイルのマッピングの一例を示すチャートである。
【図６】非限定的な例示用の一実施形態による図２の携帯型電気エネルギー貯蔵装置の収集充電分配装置のコントローラを動作させるハイレベルな方法を示すフロー図である。
【図７】非限定的な例示用の一実施形態による図２の携帯型電気エネルギー貯蔵装置の収集充電分配装置コントローラを動作させるローレベルな方法を示すフロー図であり、図６の方法において有用である相対的に優れた性能特性を有する携帯型電気エネルギー貯蔵装置を選択するステップを含む。
【図８】非限定的な例示用の一実施形態による図２の携帯型電気エネルギー貯蔵装置の収集充電分配装置コントローラを動作させるローレベルな方法を示すフロー図であり、図６の方法において有用である運転者の運転プロファイルを決定するステップを含む。
【図９】非限定的な例示用の一実施形態による図２の携帯型電気エネルギー貯蔵装置の収集充電分配装置コントローラを動作させるローレベルな方法を示すフロー図であり、図６の方法において有用である携帯型電気エネルギー貯蔵装置をユーザーに対してリリースするプロセスを含む。
【図１０】非限定的な例示用の一実施形態による図２の携帯型電気エネルギー貯蔵装置の収集充電分配装置コントローラを動作させるローレベルな方法を示すフロー図であり、図６の方法において有用である携帯型電気エネルギー貯蔵装置のセキュリティシステムを構成するステップを含む。
【図１１】非限定的な例示用の一実施形態による図２の携帯型電気エネルギー貯蔵装置の収集充電分配装置コントローラを動作させるローレベルな方法を示すフロー図であり、図６の方法において有用である優先順位付けシステムに基づいて携帯型電気エネルギー貯蔵装置を選択するステップを含む。
【発明を実施するための形態】
【００２９】
以下の説明では、種々の開示した実施形態の完全な理解を提供するために、幾つかの特定の詳細が示される。しかしながら、当業者は、実施形態を、そのような特定の詳細の１つ以上なしに又は他の方法、構成要素、材料などと共に実施してもよいことを理解するであろう。他の例では、実施形態の説明を無駄に分かりにくくしないように、変圧器、整流器、ＤＣ／ＤＣ電力変換装置、スイッチモード電力変換装置、コントローラ、並びに通信システム、構造及びネットワークを含むがこれらに限定されない自動販売機、バッテリ、スーパー又はウルトラキャパシタ、電力変換装置と関連した周知の構造物は、詳細に示されずまた記述されない。
【００３０】
文脈で特に必要とされない限り、以下の明細と特許請求の範囲全体にわたって、用語「comprise：有する、備える、含む」と、「comprises」や「comprising」などの変形は、「〜を含むがそれらに限定されない」という制限でない包括的な意味に解釈されるべきである。
【００３１】
本明細書全体にわたって、「one embodiment」又は「an embodiment」（実施例）は、実施例と関連して説明される特定の特徴、構造又は特性が、少なくとも１つの実施形態に含まれることを意味する。したがって、本明細書全体にわたって様々な場所に現れる句「in one embodiment」又は「in an embodiment」は、全て同じ実施形態を参照するとは限らない。
【００３２】
第１、第２、第３などの序数の使用は、必ずしも格付けされた順序を意味するものではなく、行為又は構造の複数の実例を区別するだけのことがある。
【００３３】
携帯型電力貯蔵装置の言及は、バッテリ、スーパー又はウルトラキャパシタを含むがこれらに限定されない電力を貯蔵し貯蔵された電力を放出することができる任意の装置を意味する。バッテリの言及は、化学的蓄電池、例えば、ニッケルカドミウム電池やリチウムイオン電池を含むがこれらに限定されない充電式電池又は二次電池を意味する。
【００３４】
本明細書で示される見出しと開示内容の要約は、単に便宜上のものであり、実施形態の趣旨又は意味を解釈するものではない。
【００３５】
図１は、１つの示された実施形態による収集充電分配装置１０２を含む環境１００を示す。
【００３６】
収集充電分配装置１０２は、販売機又はキオスクの形態を有してもよい。収集充電分配装置１０２は、収集、充電、及び分配のために携帯型電気エネルギー貯蔵装置（例えば、電池、スーパーコンデンサ、又はウルトラコンデンサ）１０６ａ〜１０６ｎ（集合的に１０６）を着脱自在に受け取るための複数の収納部、コンパートメント、又はレセプタクル１０４ａ、１０４ｂ〜１０４ｎ（図１においては、３つのみに参照符号が付与されており、集合的には１０４として表記されている）を有する。図１に示されているように、収納部１０４のいくつかは、空の状態にあり、その他の収納部１０４は、携帯型電気エネルギー貯蔵装置１０６を保持している。図１は、１つの収納部１０４当たりに単一の携帯型電気エネルギー貯蔵装置１０６を示しているが、いくつかの実施形態においては、それぞれの収納部１０４が複数の携帯型電気エネルギー貯蔵装置１０６を保持してもよい。例えば、収納部１０４のそれぞれが、３つの携帯型電気エネルギー貯蔵装置１０６を受け入れるように十分な深さを有してもよい。従って、例えば、図１に示されている収集充電分配装置１０２は、４０個、８０個、又は１２０個の携帯型電気エネルギー貯蔵装置１０６を同時に保持する能力を有する容量を有してもよく、且つ、ユーザーによる選択のために、又はユーザーの好み又はプロファイルに基づいた自動的な選択のために、様々な性能特性、品質、及びその他の特徴を有する携帯型電気エネルギー貯蔵装置１０６の在庫を収容してもよい。
【００３７】
携帯型電気エネルギー貯蔵装置１０６は、例えば、バッテリ（例えば、電池のアレイ）又はスーパー若しくはウルトラキャパシタ（例えば、ウルトラキャパシタセルのアレイ）などの様々な形態を取ってもよい。例えば、携帯型電気エネルギー貯蔵装置１０６ｚは、充電式バッテリ（即ち、二次電池又はバッテリ）の形態をとってもよい。携帯型電気エネルギー貯蔵装置１０６ｚは、例えば、全電気スクータやモーターバイク１０８などの個人輸送車両に物理的に適合し給電するように容量が決められてもよい。前述したように、エンジンスクータとモーターバイクは、例えば、アジア、ヨーロッパ及び中東の多くの大都市で一般的である。都市又は地域の至る所で充電済みバッテリを便利に入手できるので、エンジンスクータやモーターバイクの代わりに全電気スクータ及びモーターバイク１０８を使用することができ、それにより大気汚染が減少し、騒音が減少することがある。
【００３８】
携帯型電気エネルギー貯蔵装置１０６は、携帯型電気エネルギー貯蔵装置１０６ｚの外部からアクセス可能であるいくつかの電気端子１１０ａ、１１０ｂ（２つが図示されており、集合的には１１０として表記されている）を含んでもよい（携帯型電気エネルギー貯蔵装置１０６ｚのみを示している）。電気端子１１０は、電荷が携帯型電気エネルギー貯蔵装置１０６ｚから供給されることを許容すると共に、携帯型電気エネルギー貯蔵装置１０６ｚを充電又は再充電するために電荷が携帯型電気エネルギー貯蔵装置１０６ｚに供給されることを許容する。図１には柱状部として示されているが、電気端子１１０は、電池ハウジング内のスロットに位置決めされた電気端子を含む携帯型電気エネルギー貯蔵装置１０６ｚの外部からアクセス可能な任意の形態を有してもよい。携帯型電気エネルギー貯蔵装置１０６は、一般の人々に対して貸し出され、リースされると共に／又は、賃貸される場合があることから、収集充電分配装置１０２の外部に存在しているか又はその他の方式によってユーザーの所有下にある場合にも、どのように且つどのような状況において携帯型電気エネルギー貯蔵装置１０６を充電してもよいのか及び／又はエネルギーを放出してもよいかを制御することが望ましい。この携帯型電気エネルギー貯蔵装置１０６の制御は、盗難及び／又は誤用を防止するのに有用であり、且つ、これにより、様々な携帯型電気エネルギー貯蔵装置１０６の様々な性能レベルの制御が可能になる。これらの性能レベルは、ユーザーの好み、ユーザーのサブスクリプションレベル、又はユーザープロファイルのその他の側面に基づいたものであってもよい。ユーザーのプロファイル及び好みに従ってこのような充電及びエネルギー放出を制御するためのセキュリティシステムを含む携帯型電気エネルギー貯蔵装置１０６を充電するためのシステム及び方法については、図２〜図７を参照し、更に詳細に後述するが、これらのシステム及び方法は、本明細書に記述されている携帯型電気エネルギー貯蔵装置１０６の収集、充電、及び分配のためのシステム全体において有用である。
【００３９】
収集充電分配装置１０２は、収集充電分配装置１０２が様々なエンドユーザによって都合よくかつ容易にアクセスできる幾つかの場所１１２に位置決めされる。場所は、例えばコンビニエンスストア、スーパーマーケット、ガス又はガソリンスタンド、サービスショップなどの小売り環境のような、様々な形態のいずれを取ることもできる。あるいは、収集充電分配装置１０２は、既存の小売りや他の事業と関連しない場所１１２、例えば都市公園や他の公共場所に単独であってもよい。したがって、例えば、収集充電分配装置１０２は、都市又は地域の至る所のコンビニエンスストアのチェーンの各店舗に配置されてもよい。そのようなものは、有利には、コンビニエンスストアが、ターゲットとなる人々に対する利便性又は人口統計に基づいて立地又は分散されることが多いという事実に依存することがある。そのようなものは、有利には、収集充電分配装置１０２の広範囲のネットワークを都市又は地域内に迅速に展開できるようにするために、店頭や他の小売り場所で既存の賃貸契約に依存することがある。ターゲットとなる人々に役立つように地理的に適切に分散された大規模ネットワークを迅速に達成することにより、そのようなシステムに依存する能力と、そのような努力の有望な商業的成功が強化される。
【００４０】
場所１１２は、例えば送電網１１６を介して発電所（不図示）から電力を受け取る電気設備１１４を含む。電気設備１１４は、例えば、電気設備メータ１１４ａ、回路パネル（例えば、回路遮断器パネル又はヒューズボックス）１１４ｂ、配線１１４ｃ、及び電気コンセント１１４ｄのうちの１つ以上を含むことがある。場所１１２が、既存の小売り店又はコンビニエンスストアの場合、電気設備１１４は、既存の電気設備のことがあり、したがって、ある程度定格が限定されることがある（例えば、１２０ボルト、２４０ボルト、２２０ボルト、２３０ボルト、１５アンペア）。
【００４１】
小売場所１１２の事業者も、収集充電分配装置１０２の所有者、流通業者、又は事業者も、電気サービス１１４のアップグレード費用を負担することを所望しないことがある。それでも、エンドユーザーによって使用される利用可能な携帯型電気エネルギー貯蔵装置１０６の十分な供給を維持するべく、迅速な充電が望ましい。
【００４２】
任意選択により、収集充電分配装置１０２は、更新可能な電力の供給源を含んでもよく、或いは、これに結合されてもよい。例えば、外部の場所に設置される場合には、収集充電分配装置１０２は、日照から電力を生成するための光起電（ＰＶ）セルのアレイ１１８を含んでもよい。或いは、この代わりに、収集充電分配装置１０２は、例えば、屋根の上やポール（図示されてはいない）の最上部に取り付けられたポールの上などのどこかほかの場所１１２に位置決めされたマイクロタービン（例えば、風力タービン）又はＰＶアレイに対して電気的に結合されてもよい。
【００４３】
収集充電分配装置１０２は、バックエンド又はバックオフィスシステム（１つだけ示した）１２０などの１つ以上の遠隔配置されたコンピュータシステムに通信によって結合されてもよい。バックエンド又はバックオフィスシステム１２０は、都市などの地域に分散された複数の収集充電分配装置１０２からデータを収集しかつ／又はそれらの装置を制御してもよい。通信は、１つ以上のネットワーク１２２を含む１つ以上の通信チャネル、又はネットワーク接続されていない通信チャネルを介して行われてもよい。通信は、１つ以上の有線通信チャネル（例えば、撚線対配線、光ファイバ）、無線通信チャネル（例えば、無線、マイクロ波、衛星、８０１．１１準拠）を介したものでもよい。ネットワーク接続された通信チャネルは、１つ以上のローカルエリアネットワーク（ＬＡＮ）、広域ネットワーク（ＷＡＮ）、エクストラネット、イントラネット、又はインターネットのワールドワイドウェブ部分を含むインターネットを含んでもよい。
【００４４】
収集充電分配装置１０２は、ユーザインタフェース１２４を含んでもよい。ユーザインタフェースは、エンドユーザが収集充電分配装置１０２と対話することを可能にする様々な入出力（Ｉ／Ｏ）装置を含んでもよい。様々な入出力装置は、図２に関連して以下のように表記され記述される。
【００４５】
図２は、１つの示された実施形態による図１の収集充電分配装置１０２を示す。
【００４６】
収集充電分配装置１０２は、制御サブシステム２０２、充電サブシステム２０４、通信サブシステム２０６、及びユーザインタフェースサブシステム２０８を含む。
【００４７】
制御サブシステム２０２は、様々なセンサから信号を受け取り、論理演算を実行し、様々な構成要素に信号を送ることができるコントローラ２１０（例えば、マイクロプロセッサ、マイクロコントローラ、プログラマブルロジックコントローラ（ＰＬＣ）、プログラマブルゲートアレイ（ＰＧＡ）、特定用途向け集積回路（ＡＳＩＣ）、又は別のコントローラ）を含む。典型的には、コントローラ２１０は、マイクロプロセッサ（例えば、ＩＮＴＥＬ、ＡＭＤ、ＡＴＯＭ）の形態を取ることがある。制御サブシステム２０２は、また、１つ以上の非一時的プロセッサ又はコンピュータ可読記憶媒体（例えば、読み出し専用メモリ（ＲＯＭ）２１２、ランダムアクセスメモリ（ＲＡＭ）２１４）、及びデータ記憶装置２１６（例えば、フラッシュメモリやＥＥＰＲＯＭなどの固体記憶媒体、ハードディスクなどの回転型記憶媒体）を含んでもよい。非一時的プロセッサ又はコンピュータ可読記憶媒体２１２，２１４，２１６は、コントローラ２１０の一部の任意の非一時的記憶媒体（例えば、レジスタ）に追加されてもよい。制御サブシステム２０２は、様々な構成要素を結合する１つ以上のバス２１８（例えば、１つ以上の電力バス、命令バス、データバス）を含んでもよい。
【００４８】
図示のように、ＲＯＭ２１２、又は一時的ではないプロセッサ又はコンピュータ可読ストレージ媒体２１２、２１４、２１６のうちのいずれかのその他のものは、命令及び／又はデータ或いは変数又はパラメータの値を保存する。データの組は、例えば、ルックアップテーブルやデータベース内のレコードの組などのような様々な形態を有してもよい。命令及びデータ又は値の組は、コントローラ１１０によって実行可能である。命令及びデータ又は値の組を実行することにより、コントローラ１１０が特定の動作を実行し、収集充電分配装置１０２に、携帯型エネルギー貯蔵装置を収集、充電、選択、及び分配させる。収集充電分配装置１０２の特定の動作について、様々なフロー図（図６〜図１１）を参照し、本明細書において、且つ、以下において、説明することとする。
【００４９】
コントローラ２１０は、命令やデータなどの一時的な記憶のために、従来の方式により、ＲＡＭ２１４を使用してもよい。コントローラ２１０は、データストア２１６を使用し、例えば、ユーザープロファイルや、携帯型電気エネルギー貯蔵装置１０６の収集、充電、及び／又は分配、又は収集、並びに／或いは、収集充電分配装置１０３自体の動作に関係するテレメトリック情報などの情報を記録又は保持してもよい。命令は、エンドユーザー又は操作者の入力に応答して、且つ、データ又は変数又はパラメータの値を使用することにより、収集充電分配装置１０２の動作を制御するように、コントローラ２１０によって実行可能である。
【００５０】
制御サブシステム２０２は、収集充電分配装置１０２の様々なセンサ及び／又は構成要素から、そのような他の構成要素の動作、状況又は状態を示す情報を特徴付けるか示す情報を含む信号を受け取る。センサは、図２では、丸の中に適切な添付文字と共に文字Ｓで示されている。
【００５１】
例えば、１つ以上の位置センサＳP1〜ＳPNは、各収容器１０４内の携帯型電力貯蔵装置１０６の有無を検出してもよい。位置センサＳP1〜ＳPNは、様々な形態をとってもよい。例えば、位置センサＳP1〜ＳPNは、携帯型電力貯蔵装置１０６が収容器１０４に挿入されたときに、それぞれの携帯型電力貯蔵装置１０６の一部分との接触に応じて開閉される機械式スイッチの形態を取ってもよい。また例えば、位置センサＳP1〜ＳPNは、携帯型電力貯蔵装置１０６が収容器１０４に挿入されたときにそれぞれの携帯型電力貯蔵装置１０６の一部分と接触することに応じて開閉される光スイッチ（即ち、光源と収容器）の形態をとってもよい。また例えば、位置センサＳP1〜ＳPNは、収容器１０４に携帯型電力貯蔵装置１０６が挿入されたときにそれぞれの携帯型電力貯蔵装置１０６の端子１１０との接触によって生じる閉路状態の検出、又は収容器１０４内にそれぞれの携帯型電力貯蔵装置１０６がないことによって生じる開路状態の検出に応じて開閉される電気センサ又はスイッチの形態をとってもよい。これらの例は、非限定的なものであり、収容器内の携帯型電力貯蔵装置１０６の有無又は挿入を検出するための他の構造及び装置が使用されてもよいことに注意されたい。
【００５２】
例えば、１つ以上の充電センサＳC1〜ＳCNが、各収容器１０４にある携帯型電力貯蔵装置１０６の充電を検出してもよい。充電センサＳC1〜ＳCNは、携帯型電力貯蔵装置１０６によって貯蔵された電荷の量を検出してもよい。充電センサＳC1〜ＳCNは、更に、各収容器１０４にある携帯型電力貯蔵装置１０６に供給されている電荷の量及び／又は充電率を検出してもよい。そのようなものは、各携帯型電力貯蔵装置１０６の現在の（即ち、一時的）充電状態又は状況の評価を可能にし、また充電率の制御を含むその充電に関するフィードバック制御を可能にしてもよい。充電センサＳC1〜ＳCNには、任意の様々な電流及び／又は電圧センサが挙げられる。
【００５３】
例えば、１つ以上の充電センサＳT1（１つだけを示す）が、収容器１０４又は周囲環境の温度を検出又は感知してもよい。
【００５４】
制御サブシステム２０２は、様々なアクチュエータや制御信号に応答する他のコンポーネントに信号を送る。この信号は、コンポーネントが行う動作を特徴付けあるいは指示したり、コンポーネントがなるべき状態を指示する情報を含む。制御信号、アクチュエータ、または制御信号に応答する他のコンポーネントは、図２で、丸の中に示された適切な添字とともに文字Ｃによって表されている。
【００５５】
例えば、１つ以上のエンジン制御信号ＣA1〜ＣANは、１つ以上のアクチュエータ２２０（１つだけ示す）の動作に影響を及ぼすことがある。例えば、制御信号ＣA1は、アクチュエータ２２０を第１の位置と第２の位置との間で動かすか、アクチュエータ２２０によって生成された磁界を変化させる。アクチュエータ２２０は、ソレノイド、ステッパモータなどの電気モータ、又は電磁石を含むがこれに限定されない様々な形態のいずれでもよい。アクチュエータ２２０は、ラッチ、ロック又は他の保持器機構２２２を操作するために結合されてもよい。ラッチ、ロック又は他の保持器機構２２２は、収容器１０４内に１つ以上の携帯型電力貯蔵装置１０６（図１）を選択的に固定又は保持してもよい（図１）。例えば、ラッチ、ロック又は他の保持器機構２２２は、携帯型電力貯蔵装置１０６（図１）のハウジングの一部である無料構造物に物理的に結合してもよい。あるいは、ラッチ、ロック又は他の保持器機構２２２は、携帯型電力貯蔵装置１０６（図１）のハウジングの一部である無料構造物に磁気的に結合してもよい。また例えば、ラッチ、ロック又は他の機構は、収容器１０４（図１）を開いてもよく、収容器１０４を開き、ある程度又は完全に放電された携帯型電力貯蔵装置１０６を充電のために収容してもよい。例えば、アクチュエータは、収容器１０４（図１）への扉を開閉して、収容された携帯型電力貯蔵装置１０６（図１）に選択的にアクセスしてもよい。また例えば、アクチュエータは、ラッチ又はロックを開閉して、エンドユーザが、収容器１０４（図１）への扉を開閉して、収容された携帯型電力貯蔵装置１０６（図１）に選択的にアクセスできるようにしてもよい。
【００５６】
制御サブシステム２０２は、充電サブシステム２０６の１つ以上のポート２２４ｂに制御信号を提供する１つ以上のポート２２４ａを有してもよい。ポート２２４ａ，２２４ｂは、双方向通信を提供してもよい。制御サブシステム２０２は、ユーザインタフェースサブシステム２０８の１つ以上のポート２２６ｂに制御信号を提供する１つ以上のポート２２６ａを含んでもよい。ポート２２６ａ，２２６ｂは、双方向通信を提供してもよい。
【００５７】
充電サブシステム２０４は、収容器１０４内に位置決め又は収容されたときに携帯型電力貯蔵装置１０６を充電する様々な電気部品又は電子部品を含む。例えば、充電サブシステム１０２は、１つ以上の電力バス又は電源バスバー、継電器、接触器又は他のスイッチ（例えば、絶縁ゲートバイポーラトランジスタ又はＩＧＢＴ、金属酸化物トランジスタ又はＭＯＳＦＥＴ）、整流器ブリッジ、電流センサ、地絡回路などを含んでもよい。電力は、例えば端子、リード線、柱などの様々な形態のどれをとってもよい接点を介して供給される。接点は、様々な構成要素の電気的結合を可能にする。幾つかの可能な実施態様は、図２の示されかつ／又は後述される。そのようなものは、排他的ではなく、追加の構成要素を使用することができ、他の構成要素が省略されることがある。
【００５８】
図示された充電サブシステム２０４は、電線又はコード２３２を介して電気設備１１４（図１）から電力を受け取る第１の電力変換装置２３０を含む。電力は、典型的には、単相、二相又は三相の交流電力の形態になる。したがって、第１の電力変換装置２３０は、電気設備１１４（図１）を介して受け取った電力を変換し他の方法で調整する（例えば、交流波形を直流に整流し、電圧、電流、位相を変換し、また過渡現象と雑音を減少させる）ために必要なことがある。したがって、第１の電力変換装置２３０は、変圧器２３４、整流器２３６、ＤＣ／ＤＣ電力変換装置２３８、及びフィルタ２４０を有してもよい。
【００５９】
変圧器２３４は、電気設備１１４（図１）を介して受け取った電力を処理するのに適した定格を有する任意の市販の変圧器の形態をとってもよい。幾つかの実施形態は、複数の変圧器を使用してもよい。変圧器２３４は、有利には、収集充電分配装置１０２の構成要素と送電網１１６（図１）との間のガルバニック分離を提供してもよい。整流器２３６は、様々な形態（例えば、フルブリッジダイオード整流器、スイッチモード整流器）のうちのどの形態をとってもよい。整流器２３６は、交流電力を直流電力に変換するように動作されてもよい。ＤＣ／ＤＣ電力変換装置２３８は、種々の形態のうちのどの形態でもよい。例えば、ＤＣ／ＤＣ電力変換装置２３８は、スイッチモードＤＣ／ＤＣ電力変換装置（例えば、ハーフ又はフルブリッジ構成でＩＧＢＴ、ＭＯＳＦＥＴを使用する）の形態をとってもよく、１つ以上のインダクタを含んでもよい。ＤＣ／ＤＣ電力変換装置２３８は、ブーストコンバータ、バックコンバータ、同期バックコンバータ、バックブーストコンバータ、又はフライバックコンバータを含む任意数のトポロジを有してもよい。フィルタは、電圧スパイクを抑制し、過渡現象及び／又は雑音を除去又は低減する１つ以上のキャパシタ、抵抗器、ツェナーダイオード、又は他の要素を有してもよい。
【００６０】
図示された充電サブシステム２０４は、再生可能電源（例えば、ＰＶアレイ１１８（図１））から電力を受け取ってもよい。そのような電力は、第１の電力変換装置２３０によって変換又は調整され、例えば、ＤＣ／ＤＣ電力変換装置２３８に直接供給され、変圧器２３６及び／又は整流器２３６を迂回してもよい。あるいは、図示された充電サブシステム２０４は、そのような電力を変換又は他の方法で調整する専用の電力変換装置を含んでもよい。
【００６１】
図示の充電サブシステム２０４は、任意選択により、携帯型電力貯蔵装置１０６のうちのその他のものを充電するために、１つ又は複数のライン２４４を介して１つ又は複数の携帯型電力貯蔵装置１０６（図１）から電力を受け取る第２パワーコンバータ２４２を含んでもよい。従って、第２パワーコンバータ２４２は、例えば、任意選択による電圧や電流の変換及び過渡応答及びノイズの低減などように、携帯型電力貯蔵装置１０６から受け取った電力を変換すると共に／又はその他の方法によって調整する必要がある。従って、第２パワーコンバータ２４２は、任意選択により、ＤＣ／ＤＣパワーコンバータ２４６及び／又は１つ又は複数のフィルタ２４８を含んでもよい。様々なタイプのＤＣ／ＤＣパワーコンバータ及びフィルタについては、上述したとおりである。
【００６２】
図示された充電サブシステム２０４は、制御サブシステム２０２からポート１２４ａ，１２４ｂを介して提供された制御信号に応答する複数のスイッチ２５０を有する。スイッチは、第１の電力変換装置２３０を介して両方の電気設備によって供給された電力と、第２の数又は組の携帯型電力貯蔵装置１０６によって供給される電力とから充電される第１の数又は組の携帯型電力貯蔵装置１０６を選択的に結合する働きをする。第１の数又は組の携帯型電力貯蔵装置１０６は、単一の携帯型電力貯蔵装置１０６を含んでもよく、２つ以上の携帯型電力貯蔵装置１０６を含んでもよい。第２の数又は組の携帯型電力貯蔵装置１０６は、単一の携帯型電力貯蔵装置１０６を含んでもよく、２つ以上の携帯型電力貯蔵装置１０６を含んでもよい。携帯型電力貯蔵装置１０６は、図２に、負荷Ｌ1、Ｌ2〜ＬNとして表わされる。
【００６３】
通信サブシステム２０６は、バックエンド又はバックオフィスシステム１２０（図１）の様々なコンポーネント及び／又は携帯型電気エネルギー貯蔵装置１０６の様々なコンポーネントとの間における通信を促進する１つ以上の通信モジュール又はコンポーネントを更に含んでもよい。通信サブシステム２０６は、例えば、１つ以上のモデム２５２又は１つ以上のＥｔｈｅｒｎｅｔやその他のタイプの通信カード又はコンポーネント２５４を含んでもよい。制御サブシステム２０２のポート２５６ａは、制御サブシステム２０２を通信サブシステム２０６のポート２５６ｂと通信自在に結合してもよい。通信サブシステム２０６は、有線及び／又は無線通信を提供してもよい。例えば、通信サブシステム２０６は、携帯型電気エネルギー貯蔵装置１０６を含む収集充電分配装置１０２の外部の様々なその他の装置との間における近距離（例えば、Ｂｌｕｅｔｏｏｔｈ、近距離通信（Ｎｅａｒ  Ｆｉｅｌｄ  Ｃｏｍｍｕｎｉｃａｔｉｏｎ：ＮＦＣ）、高周波識別（Ｒａｄｉｏ  Ｆｒｅｑｕｅｎｃｙ  Ｉｄｅｎｔｉｆｉｃａｔｉｏｎ：ＲＦＩＤ）コンポーネント及びプロトコルによるもの）又は長距離無線通信（例えば、無線ＬＡＮ、衛星、又はセルラーネットワークによるもの）を可能にするコンポーネントを提供してもよい。例えば、収集充電分配装置内に保存されている携帯型電気エネルギー貯蔵装置１０６は、特定の性能特性、モデル情報、貯蔵容量情報、使用履歴などを有してもよく、これらの情報は、携帯型電気エネルギー貯蔵装置から通信サブシステム２０６を介して収集充電分配装置が取得してもよい。又、このような情報は、収集充電分配装置内に保存されている携帯型電気エネルギー貯蔵装置に接続しているセンサ又はその他の媒体を介して収集してもよい。又、制御サブシステム２０２の制御下において、収集充電分配装置は、ユーザーの好み、ユーザープロファイル、又はその他の要因に従って特定レベルにおいて稼働するように（例えば、特定のレベルでエネルギーを放出するように）、収集充電分配装置内に保存されている携帯型電気エネルギー貯蔵装置に対して命令を提供してもよく、或いは、これをプログラムしてもよい。
【００６４】
通信サブシステム２０６は、様々なリモートコンポーネント又はシステムまでの無線信号経路を提供するために、１つ以上のポート、無線受信機、無線送信機、又は無線トランシーバを含んでもよい。リモート通信サブシステム２０６は、交換型パケットタイプの通信プロトコル（ＴＣＰ／ＩＰ）、Ｅｔｈｅｒｎｅｔ、又はその他のネットワークプロトコルを含むネットワークトラフィックを処理するのに適した１つ以上のブリッジ又はルーターを含んでもよい。
【００６５】
ユーザインタフェースシステム２０８は、１つ以上のユーザ入力／出力（Ｉ／Ｏ）構成要素を含む。例えば、ユーザインタフェースシステム２０８は、情報及びグラフィックユーザインタフェース（ＧＵＩ）をエンドユーザに提示し、ユーザ選択の指示を受ける働きをするタッチスクリーンディスプレイ２０８ａを有してもよい。ユーザインタフェースシステム２０８は、エンドユーザがＧＵＩで情報を入力しかつ／又はユーザ選択可能アイコンを選択することを可能にするために、キーボード又はキーパッド２０８ｂ、及び／又はカーソルコントローラ（例えば、マウス、トラックボール、トラックパッド）（図示せず）を備えてもよい。ユーザインタフェースシステム２０８は、エンドユーザに聴覚メッセージを提供するスピーカ２０８ｃ及び／又は音声指示など音声ユーザ入力を受け取るマイクロフォン２０８ｄとを備えてもよい。
【００６６】
ユーザーインターフェイスシステム２０８は、カードタイプ媒体２０９から情報を読み取るためのカードリーダー２０８ｅを含んでもよい。カードリーダー２０８ｅは、様々な形態を有してもよい。例えば、カードリーダー２０８ｅは、カード２０９によって担持された磁気ストライプ内に符号化された情報を読み取るための磁気ストライプリーダーの形態を有してもよく、或いは、これを含んでもよい。例えば、カードリーダー２０８ｅは、カード２０９によって担持された機械可読シンボル内に符号化された情報を読み取るための機械可読シンボル（例えば、バーコードやマトリックスコード）カードリーダーの形態を有してもよく、或いは、これを含んでもよい。例えば、カードリーダー２０８ｅは、カード２０９によって担持された一時的ではない媒体内に符号化された情報を読み取るためのスマートカードリーダーの形態を有してもよく、或いは、これを含んでもよい。これらのものは、例えば、高周波識別（ＲＦＩＤ）トランスポンダ又は電子支払チップ（例えば、近距離通信（ＮＦＣ）チップ）を利用する媒体を含んでもよい。従って、カードリーダー２０８ｅは、例えば、クレジットカード、デビットカード、ギフトカード、プリペイドカード、並びに、運転免許証などの識別媒体などの様々なカード媒体２０９から情報（例えば、ユーザープロファイル及び／又は認証信任状）を読み取ることができるものであってもよい。又、カートリーダー２０８ｅは、携帯型電気エネルギー貯蔵装置１０６によって担持される一時的ではない媒体内に符号化された情報を読み取ることができてもよく、且つ、情報を携帯型電気エネルギー貯蔵装置１０６に伝達するための（例えば、携帯型電気エネルギー貯蔵装置１０６の認証のための且つ／又は携帯型電気エネルギー貯蔵装置１０６に対する収集充電分配装置１０２の認証のための）ＲＦＩＤトランスポンダ、トランシーバ、ＮＦＣチップ、及び／又はその他の通信装置を含んでもよい。
【００６７】
ユーザーインターフェイスシステム２０８は、現金による支払を受け取ると共に検証するべく、紙幣受取装置２０８ｆ及び検証器並びに／或いは硬貨受取装置２０８ｇを含んでもよい。これらのものは、クレジットを利用できない人々に対してサービスする際に非常に有用であろう。紙幣受取装置及び検証器２０８ｆ並びに／或いは硬貨受取装置２０８ｇは、例えば、現在市販されていると共に様々な販売機及びキオスクにおいて使用されているものなどの任意の様々な形態を有してもよい。
【００６８】
図３は、非限定的な例示用の一実施形態による図１の携帯型電気エネルギー貯蔵装置１０６ｚのブロックダイアグラムである。
【００６９】
図示されているのは、携帯型電気エネルギー貯蔵装置ハウジング３２０と、電気端子１１０ａ、１１０ｂと、電池セル３０４と、セキュリティシステムコントローラ３０６と、保護アクセスパネル３１４である。電池セル３０４は、貯蔵されている化学エネルギーを電気エネルギーに変換する任意の再充電可能なタイプの電気化学セルである。上述のように、電気端子１１０ａ、１１０ｂは、携帯型電気エネルギー貯蔵装置１０６ｚの外部からアクセス可能である。電気端子１１０は、携帯型電気エネルギー貯蔵装置１０６ｚからの電荷の供給を許容すると共に、携帯型電気エネルギー貯蔵装置１０６ｚを充電又は再充電するための導電性端子接続３１２ａ及び３１２ｂを通じた携帯型電気エネルギー貯蔵装置１０６ｚに対する且つ電池セル３０４に対する電荷の供給をも許容する。図３には柱状部として示されているが、電気端子１１０ａ及び１１０ｂは、電池ハウジング３０２内のスロットに位置決めされた電気端子を含む携帯型電気エネルギー貯蔵装置１０６ｚの外部からアクセス可能である任意のその他の形態を有してもよい。
【００７０】
端子ライン３１２ａ及び３１２ｂ並びにセキュリティシステムコントローラ３０８に動作可能に接続されているのは、セキュリティシステムコントローラ３０６によって電気的に制御される２つのスイッチ３１０ａ及び３１０ｂである。閉路位置において、スイッチ３１０ａ及び３１０ｂは、回路を完成させることにより、電流が携帯型電気エネルギー貯蔵装置１０６ｚから流れる又はこれに対して供給されることを許容するように動作する。開路位置においては、スイッチ３１０ａ及び３１０ｂは、開路することにより、電流が携帯型電気エネルギー貯蔵装置１０６ｚから流れることを防止すると共に電流が携帯型電気エネルギー貯蔵装置１０６ｚに対して供給されることを防止するように動作する。いくつかの実施形態においては、スイッチ３１０ａ及び３１０ｂは、セキュリティシステムコントローラ３０８から受け取った信号に応答する任意のタイプの電子的又は電気機械的スイッチであってもよい。スイッチ３１０ａ及び３１０ｂは、様々なタイプのアクチュエータ、接点、リレー、整流器、パワートランジスタ、ＩＧＢＴ、及び／又はＭＯＳＦＥＴなどを含む様々な電気的且つ／又は電子的コンポーネントを含んでもよい。
【００７１】
いくつかの実施形態においては、既定では、携帯型電気貯蔵装置１０６ｚは、携帯型電気貯蔵装置１０６ｚが（例えば、無線信号を介して）充電装置又はその他の外部装置から認証を受け取らない限り、電荷を受け取ることができない状態にある。例えば、このような認証は、携帯型電気貯蔵装置１０６ｚの外部の様々なその他の装置との間における近距離（例えば、Ｂｌｕｅｔｏｏｔｈ、近距離通信（ＮＦＣ）、高周波識別（ＲＦＩＤ）コンポーネント及びプロトコルによるもの）又は長距離無線通信（例えば、無線ＬＡＮ、衛星、又はセルラーネットワークによるもの）を可能にするコンポーネントを介して受け取った情報に基づいて実施してもよい。認証が根拠としてもよい受け取る対象の情報は、限定を伴うことなしに、コード、パスワード、電子信任状、電子セキュリティ証明書、暗号化されたデータ、暗号化キー、電子キーなどのうちの１つ以上を含んでもよい。
【００７２】
セキュリティシステムコントローラ３０６は、電荷を受け取るか又はエネルギーを供給するために携帯型電気貯蔵装置１０６ｚが接続される外部装置からの認証に基づいてスイッチ３１０ａ及び３１０ｂを開閉するための信号を送信するように構成されている。又、携帯型電気貯蔵装置セキュリティシステムコントローラ３０６は、端子１１０ａ及び１１０ｂ及び携帯型電気貯蔵装置セキュリティシステムコントローラ３０６に結合されたライン３１４ａ及び３１４ｂ並びに携帯型電気貯蔵装置セキュリティシステムコントローラ３０６及び電池セル３０４に結合されたライン３０８上において携帯型電気貯蔵装置セキュリティシステムコントローラ３０６を通じて流れる電流を調節することにより、スイッチ３１０ａ及び３１０ｂの両方が開路位置にある際に、エネルギーを放出する場合に、（例えば、ユーザープロファイルに基づいて）携帯型電気貯蔵装置１０６ｚから放出するべきエネルギーの量を調節するように構成されている。携帯型電気貯蔵装置１０６ｚからのエネルギー放出の調節は、携帯型電気貯蔵装置１０６ｚの外部の装置からの様々な情報又はその他の無線信号に応答したものであってよい。例えば、いくつかの例においては、ユーザーは、収集充電分配装置１０２における購入、賃貸、又は交換の時点において携帯型電池貯蔵装置１０６ｚの望ましい電力又は性能レベルを選択してもよく、且つ、これを実行するために割増料金を支払ってもよい。又、放出されるエネルギーの量は、携帯型電気貯蔵装置セキュリティシステムコントローラ３０６によって受け取られた情報によって示されているユーザープロファイル、ユーザーの車両プロファイル、ユーザーのサブスクリプションレベル、識別されたユーザー又は一般的なユーザーに関係する提供されている特定の販促、収入レベル、性別、年齢、純資産、婚姻状態などのようなユーザーの人口統計的な情報のうちの１つ以上に依存したものであってもよい。
【００７３】
ハウジング３０２は、電池セル３０４及び携帯型電気貯蔵装置セキュリティシステムコントローラ３０６を外部の要素及び不正操作から保護するために、ポリマー又はその他の十分な厚さの耐久性を有する材料から構築される。例えば、ハウジングの壁は、少なくとも約０．２５インチの厚さを有してもよく、且つ、ロックされたアクセスパネル３１４を開放するためのキー又はその他の専門的なツールを伴うことなしには電池セル３０４及び携帯型電気貯蔵装置セキュリティシステムコントローラ３０６にアクセスすることができないように、電池セル３０４及び携帯型電気貯蔵装置セキュリティシステムコントローラ３０６を（いくつかの実施形態においては、ハウジング内の小さな通気孔を除いて）完全に取り囲んでもよい。
【００７４】
いくつかの実施形態においては、携帯型電気貯蔵装置セキュリティシステムコントローラ３０６のコンポーネントのいくつか又はすべては、スイッチ３１０ａ及び３１０ｂを（例えば、無線制御信号を介して）作動させる別個の装置として携帯型電気貯蔵装置１０６ｚの外部に配置してもよい。又、電池セル３０４との間における電流の流れを防止又は許容するのに十分な更に多くの数の又は更に少ない数のスイッチを使用してもよい。
【００７５】
図４は、非限定的な例示用の一実施形態による図１及び図３の携帯型電気エネルギー貯蔵装置セキュリティシステムコントローラ３０６の概略図である。
【００７６】
携帯型電気貯蔵装置セキュリティシステムコントローラ３０６は、コントローラ４１０と、通信サブシステム４０６と、電力インターフェイス／マネージャと、を含む。
【００７７】
コントローラ４１０は、例えば、様々なセンサから信号を受け取り、論理演算を実行し、且つ、信号を様々なコンポーネントに対して送信する能力を有するマイクロプロセッサ、マイクロコントローラ、プログラム可能なロジックコントローラ（Ｐｒｏｇｒａｍｍａｂｌｅ  Ｌｏｇｉｃ  Ｃｏｎｔｒｏｌｌｅｒ：ＰＬＣ）、プログラム可能なゲートアレイ（Ｐｒｏｇｒａｍｍａｂｌｅ  Ｇａｔｅ  Ａｒｒａｙ：ＰＧＡ）、アプリケーション固有の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、又は別のコントローラである。通常、コントローラ４１０は、マイクロプロセッサ（例えば、ＩＮＴＥＬ、ＡＭＤ、ＡＴＯＭ）の形態を有してもよい。又、携帯型電気貯蔵装置セキュリティシステムコントローラ３０６は、例えば、読出し専用メモリ（Ｒｅａｄ  Ｏｎｌｙ  Ｍｅｍｏｒｙ：ＲＯＭ）４１２、ランダムアクセスメモリ（Ｒａｎｄｏｍ  Ａｃｃｅｓｓ  Ｍｅｍｏｒｙ：ＲＡＭ）４１４、及びその他のストレージ４１６（例えば、フラッシュメモリ又はＥＥＰＲＯＭなどの半導体ストレージ媒体やハードディスクなどの回転ストレージ媒体）などの１つ又は複数の一時的ではないプロセッサ又はコンピュータ可読ストレージ媒体を含んでもよい。一時的ではないプロセッサ又はコンピュータ可読ストーレジ媒体４１２、４１４、４１６は、コントローラ４１０の一部である任意の一時的ではないストレージ媒体（例えば、レジスタ）以外のものであってもよい。携帯型電気貯蔵装置セキュリティシステムコントローラ３０６は、例えば、１つ又は複数の電力バス、命令バス、データバスなどのように、様々なコンポーネントを１つに結合する１つ又は複数のバス４１８（１つのみが図示されている）を含んでもよい。
【００７８】
図示されているように、ＲＯＭ４１２、又は一時的ではないプロセッサ又はコンピュータ可読ストレージ媒体４１２、４１４、４１６のうちのなんらかのその他のものは、命令及び／又はデータ或いは変数又はパラメータの値を記憶する。データの組は、例えば、ルックアップテーブルやデータベース内のレコードの組などのような様々な形態を有してもよい。命令及びデータ又は値の組は、コントローラ４１０によって実行可能である。命令及びデータ又は値の組を実行することにより、コントローラ４１０は、特定の動作を実行し、携帯型電気貯蔵装置セキュリティシステムコントローラ３０６に、携帯型電気貯蔵装置１０６ｚによる電荷の受け取り又はエネルギーの放出を許容又は防止するか又はその他の方法で携帯型電気貯蔵装置１０６ｚからのエネルギーの放出を調節するための制御信号を生成させる。
【００７９】
コントローラ４１０は、命令やデータなどの一時的な記憶のために、従来の方式により、ＲＡＭ４１４を使用してもよい。コントローラ４１０は、データストア４１６を使用し、例えば、ユーザープロファイル情報に関する情報、車両プロファイル情報、セキュリティコード、信任状、セキュリティ証明書、パスワード、ユーザーのサブスクリプションレベル、識別されたユーザー又は一般的なユーザーに関係する提供されている特定の販促、収入レベル、性別、年齢、純資産、婚姻状態などのようなユーザーの人口統計的な情報、ユーザーの車両の場所に関する情報、及びテレマティック及び／又はテレメトリックなユーザー車両情報、携帯型電気エネルギー貯蔵装置の充電容量に関する情報、ユーザーの運転ルートに関する情報などの情報を記録又は保持してもよい。命令は、限定を伴うことなしに、充電装置、車両、ユーザー識別装置（カードや電子キーなど）、車両、収集充電分配装置、収集充電分配装置サービスシステム、ユーザーのモバイル装置、ユーザーの車両、及びエンドユーザー又は操作者の入力、及び使用データ又は変数又はパラメータの値を含む外部装置のものなどのリモートシステムからの入力に応答して携帯型電気貯蔵装置セキュリティシステムコントローラ３０６の動作を制御するようにコントローラ４１０によって実行可能である。
【００８０】
又、コントローラ４１０は、収集充電分配装置１０２の通信サブシステム２０６などの外部装置の様々なセンサ及び／又はコンポーネントから信号を受け取ってもよい。この情報は、ユーザープロファイル又は好みの情報又はそれらのコンポーネントの信憑性、認可レベル、動作、状態、又は状況を特徴付ける又は示すその他の情報などの情報を含んでもよい。
【００８１】
通信サブシステム４０６は、データを認証目的のために装置の間において交換できるように、外部装置の様々なコンポーネントとの間の通信を促進する１つ又は複数の通信モジュール又はコンポーネントと、更には、（ソフトウェア更新又はユーザープロファイル、車両プロファイル、及び／又は販促キャンペーン情報のデータ更新を受け取るための）図１の収集充電分配装置１０２の様々なコンポーネントと、１つ又は複数のユーザーモバイル通信装置と、を含んでもよい。通信サブシステム４０６は、有線及び／又は無線通信を提供してもよい。通信サブシステム４０６は、様々なリモートコンポーネント又はシステムに対する無線信号経路を提供するべく、１つ又は複数のポート、無線受信機、無線送信機、又は無線トランシーバを含んでもよい。通信サブシステム４０６は、例えば、近距離（例えば、Ｂｌｕｅｔｏｏｔｈ、近距離通信（ＮＦＣ）、無線周波数識別（ＲＦＩＤ）コンポーネント及びプロトコルによるもの）又は長距離無線通信（例えば、無線ＬＡＮ、衛星、又はセルラーネットワークによるもの）を可能にするコンポーネントを含んでもよく、且つ、これを実行するための１つ又は複数のモデム４５２又は１つ又は複数のＥｔｈｅｒｎｅｔ又はその他のタイプの通信カード又はコンポーネント４５４を含んでもよい。リモート通信サブシステム４０６は、交換型パケットタイプの通信プロトコル（ＴＣＰ／ＩＰ）、Ｅｔｈｅｒｎｅｔ、又はその他のネットワークプロトコルを含むネットワークトラフィックを処理するのに適した１つ又は複数のブリッジ又はルータを含んでもよい。
【００８２】
いくつかの実施形態においては、携帯型電気貯蔵装置セキュリティシステムコントローラ３０６のコンポーネントのうちのいくつか又はすべては、通信サブシステム４０６を介して送信された（例えば、無線制御信号を介して）携帯型電気貯蔵装置１０６ｚのスイッチ３１０ａ及び３１０ｂを作動させる別個の装置として携帯型電気貯蔵装置１０６ｚの外部に配置してもよい。
【００８３】
電力インターフェイス／マネージャ４２０は、コントローラ４１０によって制御可能であり、且つ、電池セル３０４又は外部装置から携帯型電気貯蔵装置セキュリティシステムコントローラ３０６に対して電力を供給するように構成されている。又、電力インターフェイス／マネージャ４２０は、（例えば、受け取ったユーザープロファイル又は好みの情報に基づいて）コントローラ４１０から受け取った制御信号に従って携帯型電気貯蔵装置１０６ｚからの電力の放出を調節するように構成されており、且つ、これを実行するために動作可能な電気変圧器、コンバータ、整流器など様々なコンポーネントを含む。
【００８４】
図５は、非限定的な例示用の一実施形態による携帯型電気エネルギー貯蔵装置（例えば、電池）に対する顧客プロファイルの特定のマッピングの一例を示すチャート５００を示している。
【００８５】
このようなマッピングは、収集充電分配装置内において記憶してもよく、バックエンドシステムを介して収集充電分配装置に伝達してもよく、携帯型電気エネルギー貯蔵装置上に記憶してもよく、或いは、携帯型電気エネルギー貯蔵装置に伝達してもよい。例示用の顧客プロファイルレベルを示す列５０２が示されている。それぞれの顧客プロファイルレベルごとに、その特定のプロファイルレベルの顧客が受け取ることになる電池の容量を示す全体電池容量の列５０４が存在している。又、それぞれの顧客プロファイルレベルごとに、その特定のプロファイルレベルの顧客が受け取ることになる電池の使用年数を示す電池の使用年数の列５０６も存在している。又、それぞれの顧客プロファイルレベルごとに、その特定のプロファイルレベルの顧客が受け取ることになる電池の電流放出を示す電池の電流放出の列５０８も存在している。更には、それぞれの顧客プロファイルレベルごとに、その特定のプロファイルレベルの顧客が受け取ることになる電池の以前の充電サイクルの回数を示す以前の充電サイクル数の列５０８も存在している。相対的に高いプロファイルレベルの顧客は、上等な電池を受け取ることに留意されたい。但し、電池を受け取る時点において、顧客は、自身のプロファイルをアップグレードしてもよく、或いは、相対的に高い性能又は上等な電池について一時払いのアップグレード料金を支払ってもよい（例えば、例として、年代的に相対的に新しいもの及び／又は相対的に少ない数の再充電サイクルしか経験していないものなどの相対的に新しい電池、相対的に高性能の化学組成、あまり極端ではない放電速度及び／又は放電深度しか経験していない電池、あまり極端ではない充電速度しか経験していないと共に／又は、例えば、過大な温度に対する曝露の合計数として、且つ／又は、例えば、その他の電池又はなんらかの規定の条件又は閾値との関係における過大な温度に対する曝露の合計又は蓄積回数として、計測されたあまり極端ではない環境条件しか経験していない電池、その他の電池との比較において大きな電気エネルギー貯蔵容量を有する電池、その他の電池との比較において高い現在の充電レベルを有する電池、その他の電池との比較において電池の充電容量に対する充電レベルの大きな百分率を有する電池）。
【００８６】
従って、顧客が受け取る電池を区別する（その他の電池から上等な電池を区別する）携帯型電気エネルギー貯蔵装置の性能特性の様々な例には、限定を伴うことなしに、携帯型電気エネルギー貯蔵装置の使用年数、携帯型電気エネルギー貯蔵装置の容量、携帯型電気エネルギー貯蔵装置の現在の充電レベル、携帯型電気エネルギー貯蔵装置の充電容量に対する充電レベルの百分率、携帯型電気エネルギー貯蔵装置がそれまでに経験している充電サイクルの合計累積数、携帯型電気エネルギー貯蔵装置の重放電の回数又は頻度、携帯型電気エネルギー貯蔵装置の温度曝露、携帯型電気エネルギー貯蔵装置の充電サイクルの数又は頻度を表す値、及び携帯型電気エネルギー貯蔵装置が過激な運転プロファイルを有する運転者によって使用されたことがあるかどうかが含まれる。運転者の運転プロファイルは、高加速に関連する運転者の加速器読取値及び運転者が携帯型電気エネルギー貯蔵装置を使用している際の記録された電流引出しレベルなどの項目に関する情報を受け取ることにより、収集充電分配装置及び／又はバックエンド又はバックオフィスシステム１２０によって決定してもよい。
【００８７】
又、相対的に高いプロファイルの顧客は、例えば、上等な収集充電分配装置に対して又は上等な場所における収集充電分配装置に対してアクセスしてもよく、或いは、収集充電分配装置において「ＶＩＰ」ラインに対してアクセスしてもよい。
【００８８】
図６は、非限定的な例示用の一実施形態による図２の携帯型電気エネルギー貯蔵装置の収集充電分配装置のコントローラ２１０を動作させるハイレベルな方法６００を示している。
【００８９】
６０２において、携帯型電気エネルギー貯蔵装置の収集充電分配装置コントローラ２１０は、携帯型電気エネルギー貯蔵装置の収集充電分配装置においてユーザーから携帯型電気エネルギー貯蔵装置に対する要求を受け取っている。
【００９０】
６０４において、携帯型電気エネルギー貯蔵装置の収集充電分配装置コントローラ２１０は、受け取ったユーザー（例えば、車両の操作者又は運転者）のユーザープロファイルに基づいて、携帯型電気エネルギー貯蔵装置の収集充電分配装置の内から特定の性能特性を有する携帯型電気エネルギー貯蔵装置を自動的に選択する。携帯型電気エネルギー貯蔵装置の自動的な選択は、いくつかの実施形態においては、ユーザープロファイル上において示されているユーザーによって採用されたいくつかの過去のルートのいくつかの特徴を示す過去のルート情報に基づいて携帯型電気エネルギー貯蔵装置を選択するステップを含む。例えば、ユーザーが、以前に、収集充電分配装置がほとんど又は全く存在していない長いルートを採用していた場合には、携帯型電気エネルギー貯蔵装置の収集充電分配装置コントローラ２１０は、ユーザーに長い距離を提供するために（その他の利用可能な携帯型電気エネルギー貯蔵装置との比較において）大きな電気エネルギー貯蔵容量を有するフル充電された携帯型電気エネルギー貯蔵装置を選択してもよい。又、いくつかの実施形態においては、携帯型電気エネルギー貯蔵装置の自動的な選択は、ユーザープロファイル上において示されている１つ以上の車両仕様に基づいて携帯型電気エネルギー貯蔵装置を選択するステップを含んでもよい。例えば、携帯型電気エネルギー貯蔵装置の収集充電分配装置コントローラ２１０は、相対的に大きなモーターを有する又は相対的に大きなエネルギー要件を有する車両を有するユーザーのために、（その他の利用可能な携帯型電気エネルギー貯蔵装置との比較において）相対的に大きな電気エネルギー貯蔵容量又は相対的に高いエネルギー放出レベルを有する携帯型電気エネルギー貯蔵装置を選択してもよい。
【００９１】
６０６において、携帯型電気エネルギー貯蔵装置の収集充電分配装置コントローラ２１０は、選択された携帯型電気エネルギー貯蔵装置をユーザーのために自動的にリリースしている。
【００９２】
図７は、非限定的な例示用の一実施形態による図２の携帯型電気エネルギー貯蔵装置の収集充電分配装置コントローラ２１０を動作させるローレベルな方法７００を示しており、図６の方法において有用である相対的に優れた性能特性を有する携帯型電気エネルギー貯蔵装置を選択するステップを含んでいる。
【００９３】
７０２において、携帯型電気エネルギー貯蔵装置の収集充電分配装置コントローラ２１０は、携帯型電気エネルギー貯蔵装置の収集充電分配装置の使用のための相対的に低いサブスクリプションレベルを示す別のユーザープロファイルに関連付けられた別のユーザーのために選択されることになる携帯型電気エネルギー貯蔵装置の収集充電分配装置内の別の携帯型電気エネルギー貯蔵装置よりも優れた性能特性を有する携帯型電気エネルギー貯蔵装置を選択している。
【００９４】
図８は、非限定的な例示用の一実施形態による図２の携帯型電気エネルギー貯蔵装置の収集充電分配装置コントローラを動作させるローレベルな方法８００を示しており、図６の方法において有用である運転者の運転プロファイルを決定するステップを含んでいる。
【００９５】
８０２において、携帯型電気エネルギー貯蔵装置の収集充電分配装置コントローラ２１０は、高加速に関連する運転者の加速器読取値及び携帯型電気エネルギー貯蔵装置の運転者の使用の際の電流引出しレベルのうちの１つ以上に基づいて運転プロファイルに関する情報を受け取ることにより、運転者の運転プロファイルを決定している。
【００９６】
図９は、非限定的な例示用の一実施形態による図２の携帯型電気エネルギー貯蔵装置の収集充電分配装置コントローラを動作させるローレベルな方法９００を示しており、図６の方法において有用である携帯型電気エネルギー貯蔵装置をユーザーに対してリリースするプロセスを含んでいる。
【００９７】
９０２において、携帯型電気エネルギー貯蔵装置の収集充電分配装置コントローラ２１０は、携帯型電気エネルギー貯蔵装置をリリースする前に、使用済みの携帯型電気エネルギー貯蔵装置がユーザーから携帯型電気エネルギー貯蔵装置の収集充電分配装置によって受け取られていることを示す信号を受け取っている。
【００９８】
図１０は、非限定的な例示用の一実施形態による図２の携帯型電気エネルギー貯蔵装置の収集充電分配装置コントローラを動作させるローレベルな方法１０００を示しており、図６の方法において有用である携帯型電気エネルギー貯蔵装置のセキュリティシステムを構成するステップを含んでいる。
【００９９】
１００２において、携帯型電気エネルギー貯蔵装置の収集充電分配装置コントローラ２１０は、受け取ったユーザープロファイルに基づいて、ユーザーによって使用される携帯型電気エネルギー貯蔵装置から放出するべき特定のエネルギーのレベルを決定している。
【０１００】
１００４において、携帯型電気エネルギー貯蔵装置の収集充電分配装置コントローラ２１０は、受け取ったユーザープロファイルに基づいて、ユーザーによって使用される決定された特定のレベルで携帯型電気エネルギー貯蔵装置からエネルギーを放出するように携帯型電気エネルギー貯蔵装置のセキュリティシステムを構成している。
【０１０１】
図１１は、非限定的な例示用の一実施形態による図２の携帯型電気エネルギー貯蔵装置の収集充電分配装置コントローラを動作させるためのローレベルな方法１１００を示しており、図６の方法において有用である優先順位付けシステムに基づいて携帯型電気エネルギー貯蔵装置を選択するステップを含んでいる。
【０１０２】
１１０２において、携帯型電気エネルギー貯蔵装置の収集充電分配装置コントローラ２１０は、受け取ったユーザープロファイルをその他のユーザープロファイルと比較するように構成されたユーザーの間における優先順位付けシステムに基づいて携帯型電気エネルギー貯蔵装置を選択している。
【０１０３】
以上の詳細な説明は、ブロック図、概略図及び実施例を使用して装置及び／又はプロセスの様々な実施形態を示した。そのようなブロック図、概略図及び実施例が、１つ以上の機能及び／又は動作を含む限り、そのようなブロック図、フローチャート又は実施例内の各機能及び／又は動作は、個別かつ／又は集合的に、広範囲のハードウェア、ソフトウェア、ファームウェア又はこれらの事実上任意の組み合わせによって実施できることは、当業者によって理解されるであろう。一実施形態では、この内容は、１つ以上のマイクロコントローラによって実現されてもよい。しかしながら、当業者は、本明細書で開示される実施形態が、全体的又は部分的に、標準集積回路（例えば、特定用途向け集積回路、即ちＡＳＩＣ）内で１つ以上のコンピュータによって実行される１つ以上のプログラム（例えば、１つ以上のコンピュータシステム上で動作する１つ以上のプログラムとして）、１つ以上のプロセッサによって実行される１つ以上のプログラムとして１つ以上のコントローラ（例えば、マイクロプロセッサ）によって実行された１つ以上のコンピュータプログラムとして、ファームウェアとして、又はこれらの事実上任意の組み合わせとして等しく実施することができ、回路の設計及び／又はソフトウェア及び／又はファームウェアのコードの記述が、この開示の教示に照らして当該技術の十分に範囲内にあることを理解するであろう。
【０１０４】
ロジックが、ソフトウェアとして実施され、メモリに記憶されたとき、ロジック又は情報は、任意のプロセッサ関連システム又は方法によって使用するかそれらと関連した任意の非一時的コンピュータ可読媒体上に記憶することできる。この開示の文脈では、メモリは、コンピュータ及び／又はプロセッサプログラムを非一時的に含むか又は記憶する電子的、磁気的、光学的、又は他の物理装置若しくは手段である非一時的コンピュータ及び／又はプロセッサ可読記憶媒体である。ロジック及び／又は情報は、命令実行システム、機器又は装置から命令をフェッチし、ロジック及び／又は情報と関連した命令を実行することができるコンピュータシステム、プロセッサ内蔵システム、他のシステムなどの、命令実行システム、機器又は装置によって又はそれらと関連して使用される任意のコンピュータ可読媒体で実施することができる。
【０１０５】
本明細書の文脈では、「コンピュータ可読媒体」は、命令実行システム、機器及び／又は装置によって又はそれらと関連して使用するためのロジック及び／又は情報と関連付けられたプログラムを記憶することができる任意の物理要素でよい。コンピュータ可読媒体には、例えば、電子、磁気、光、電磁気、赤外線、又は半導体システム、機器又は装置を挙げることができるがこれらに限定されない。コンピュータ可読媒体のより特定の例（非限定的リスト）には、ポータブルコンピュータディスケット（磁気、コンパクトフラッシュカード、セキュアデジタルなど）、ランダムアクセスメモリ（ＲＡＭ）、読み出し専用メモリ（ＲＯＭ）、消去可能プログラマブル読み出し専用メモリ（ＥＰＲＯＭ、ＥＥＰＲＯＭ又はＦｌａｓｈメモリ）、携帯型コンパクトディスク読み出し専用メモリ（ＣＤＲＯＭ）、及びデジタルテープが挙げられる。
【０１０６】
以上述べた様々な実施形態を組み合わせて、更に他の実施形態を提供することができる。本明細書における特定の教示及び定義と矛盾しない限り、本明細書で参照されかつ／又はアプリケーションデータシートに列挙された全ての米国特許、米国特許出願公報、米国特許出願、外国特許、外国特許出願及び非特許文献は、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題する米国仮特許出願第６１／５１１，９００号（代理人整理番号１７０１７８．４０１Ｐ１）、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６（代理人整理番号１７０１７８．４０１Ｐ２）、「ＡＰＰＡＲＡＴＵＳ、ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６（代理人整理番号１７０１７８．４０１Ｐ２）、「ＡＰＰＡＲＡＴＵＳ」、ＭＥＴＨＯＤ  ＡＮＤ  ＡＲＴＩＣＬＥ  ＦＯＲ  ＲＥＤＩＳＴＲＩＢＵＴＩＮＧ  ＰＯＷＥＲ  ＳＴＯＲＡＧＥ  ＤＥＶＩＣＥＳ、ＳＵＣＨ  ＡＳ  ＢＡＴＴＥＲＩＥＳ、ＢＥＴＷＥＥＮ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥＳ」と題し２０１１年９月１４日に出願された米国仮特許出願第６１／５３４，７５３３５号（代理人整理番号１７０１７８．４０３Ｐ１）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ、ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ，ＳＵＣＨ  ＡＳ  ＢＡＴＴＥＲＩＥＳ、ＢＡＳＥＤ  ＯＮ  ＵＳＥＲ  ＰＲＯＦＩＬＥＳ」と題し２０１１年９月１４日に出願された米国仮特許出願第６１／５３４，７７２号（代理人整理番号１７０１７８．４０４Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１１年７月２６日に出願された米国仮特許出願第６１／５１１，８８７号（代理人整理番号１７０１７８．４０６Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１２年５月１６日に出願された米国仮特許出願第６１／６４７，９４１号（代理人整理番号１７０１７８．４０６Ｐ２）、「ＤＹＮＡＭＩＣＡＬＬＹ  ＬＩＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題し２０１１年７月２６日に出願された米国仮特許出願第６１／５１１，８８０号（代理人整理番号１７０１７８．４０７Ｐ１）、「ＡＰＰＡＲＡＴＵＳ、ＭＥＴＨＯＤ，ＡＮＤ  ＡＲＴＩＣＬＥ  ＦＯＲ  ＰＨＹＳＩＣＡＬ  ＳＥＣＵＲＩＴＹ  ＯＦ  ＰＯＷＥＲ  ＳＴＯＲＡＧＥ，ＤＥＶＩＣＥＳ  ＩＮ  ＶＥＨＩＣＬＥＳ」と題し２０１１年１１月８日に出願された米国仮特許出願第６１／５５７，１７０号（代理人整理番号１７０１７８．４０８Ｐ１）、「ＡＰＰＡＲＡＴＵＳ，ＭＥＴＨＯＤ  ＡＮＤ  ＡＲＴＩＣＬＥ  ＦＯＲ  Ａ  ＰＯＷＥＲ  ＳＴＯＲＡＧＥ  ＤＥＶＩＣＥ，ＣＯＭＰＡＲＴＭＥＮＴ」と題し２０１１年１２月２９日に出願された米国仮特許出願第６１／５８１，５６６号（代理人整理番号１７０１７８．４１２Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題し２０１２年２月２１日に出願された米国仮特許出願第６１／６０１，４０４号（代理人整理番号１７０１７８．４１７Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＬＯＣＡＴＩＯＮＳ  ＯＦ  ＰＯＷＥＲ，ＳＴＯＲＡＧＥ  ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１２年２月２２日に出願された米国仮特許出願第６１／６０１，９４９号（代理人整理番号１７０１７８．４１８Ｐ１）、及び「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ、ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ、ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥ」と題し２０１２年２月２２日に出願された米国仮特許出願第６１／６０１，９５３号（代理人整理番号１７０１７８．４１９Ｐ１）、２０１２年７月２６日付けで出願されたＨｏｋ−Ｓｕｍ  Ｈｏｒａｃｅ  Ｌｕｋｅ、Ｍａｔｔｈｅｗ  Ｗｈｉｔｉｎｇ  Ｔａｙｌｏｒ、及びＨｕａｎｇ−Ｃｈｅｎｇ  Ｈｕｎｇを発明者とする「ＡＰＰＡＲＡＴＵＳ，  ＭＥＴＨＯＤ  ＡＮＤ  ＡＲＴＩＣＬＥ  ＦＯＲ  ＣＯＬＬＥＣＴＩＯＮ，  ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，  ＳＵＣＨ  ＡＳ  ＢＡＴＴＥＲＩＥＳ」という名称の米国特許出願第              号明細書（Ａｔｔｙ．  Ｄｏｃｋｅｔ  Ｎｏ．  １７０１７８．４０１）、２０１２年７月２６日に出願され、発明者としてＨｏｋ−Ｓｕｍ  Ｈｏｒａｃｅ  Ｌｕｋｅ及びＭａｔｔｈｅｗ  Ｗｈｉｔｉｎｇ  Ｔａｙｌｏｒを指定し、「ＡＰＰＡＲＡＴＵＳ、ＭＥＴＨＯＤ  ＡＮＤ  ＡＲＴＩＣＬＥ  ＦＯＲ  ＡＵＴＨＥＮＴＩＣＡＴＩＯＮ、ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ  ＳＵＣＨ  ＡＳ  ＢＡＴＴＥＲＩＥＳ」と題する米国出願第＿＿＿＿＿＿＿＿＿号（代理人整理番号１７０１７８．４０３）、２０１２年７月２６日に出願され、発明者としてＨｏｋ−Ｓｕｍ  Ｈｏｒａｃｅ  ＬｕｋｅとＭａｔｔｈｅｗ  Ｗｈｉｔｉｎｇ  Ｔａｙｌｏｒを指定し���「ＤＹＮＡＭＩＣＡＬＬＹ  ＬＩＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題する米国出願番号＿＿＿＿＿＿＿号（代理人整理番号１７０１７８．４０７）、２０１２年７月２６日に出願され、発明者としてＭａｔｔｈｅｗ  Ｗｈｉｔｉｎｇ  Ｔａｙｌｏｒ，Ｙｉ−Ｔｓｕｎｇ  Ｗｕ，Ｈｏｋ−Ｓｕｍ  Ｈｏｒａｃｅ  Ｌｕｋｅ及びＨｕａｎｇ−Ｃｈｅｎｇ  Ｈｕｎｇを指定し、「ＡＰＰＡＲＡＴＵＳ、ＭＥＴＨＯＤ、ＡＮＤ  ＡＲＴＩＣＬＥ  ＦＯＲ  ＰＨＹＳＩＣＡＬ  ＳＥＣＵＲＩＴＹ  ＯＦ  ＰＯＷＥＲ  ＳＴＯＲＡＧＥ、ＤＥＶＩＣＥＳ  ＩＮ  ＶＥＨＩＣＬＥＳ」と題する米国出願第＿＿＿＿＿＿＿＿＿号（代理人整理番号１７０１７８．４０８）、２０１２年７月２６日に出願され、発明者としてＣｈｉｎｇ  Ｃｈｅｎ，Ｈｏｋ−Ｓｕｍ  Ｈｏｒａｃｅ  Ｌｕｋｅ，Ｍａｔｔｈｅｗ  Ｗｈｉｔｉｎｇ  Ｔａｙｌｏｒ，Ｙｉ−Ｔｓｕｎｇ  Ｗｕを指定し、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題する米国出願第＿＿＿＿＿＿号（代理人整理番号１７０１７８．４１７）、２０１２年７月２６日に出願され、発明者としてＹｉ−Ｔｓｕｎｇ  Ｗｕ，Ｍａｔｔｈｅｗ  Ｗｈｉｔｉｎｇ  Ｔａｙｌｏｒ，Ｈｏｋ−Ｓｕｍ  Ｈｏｒａｃｅ  Ｌｕｋｅ及びＪｕｎｇ−Ｈｓｉｕ  Ｃｈｅｎを指定し、「ＡＰＰＡＲＡＴＵＳ、ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ、ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ、ＤＥＶＩＣＥ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥ」と題する米国出願第＿＿＿＿＿＿＿＿号（代理人整理番号１７０１７８．４１９）、及び２０１２年７月２６日に出願され、発明者としてＨｏｋ−Ｓｕｍ  Ｈｏｒａｃｅ  Ｌｕｋｅ，Ｙｉ−Ｔｓｕｎｇ  Ｗｕ，Ｊｕｎｇ−Ｈｓｉｕ  Ｃｈｅｎ，Ｙｕｌｉｎ  Ｗｕ，Ｃｈｉｅｎ  Ｍｉｎｇ  Ｈｕａｎｇ，ＴｓｕｎｇＴｉｎｇ  Ｃｈａｎ，Ｓｈｅｎ−Ｃｈｉ  Ｃｈｅｎ及びＦｅｎｇ  Ｋａｉ  Ｙａｎｇを指定し、「ＡＰＰＡＲＡＴＵＳ、ＭＥＴＨＯＤ  ＡＮＤ  ＡＲＴＩＣＬＥ  ＦＯＲ  ＲＥＳＥＲＶＩＮＧ  ＰＯＷＥＲ  ＳＴＯＲＡＧＥ  ＤＥＶＩＣＥＳ、ＡＴ  ＲＥＳＥＲＶＩＮＧ  ＰＯＷＥＲ  ＳＴＯＲＡＧＥ  ＤＥＶＩＣＥ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥＳ」と題する米国出願第＿＿＿＿＿＿＿号（代理人整理番号１７０１７８．４２３）を限定なしに含み、参照により全体が本明細書に組み込まれる。実施形態の態様は、必要に応じて、更に他の実施形態を提供するために様々な特許、出願及び出版物のシステム、回路及び概念を使用するように改良されてもよい。
【０１０７】
全電気スクータ及び／又はモーターバイクなどの個人用運搬車両と共に使用するための携帯型電気エネルギー貯蔵装置を収集、充電、分配する環境と文脈で概略的に述べてきたが、本明細書の教示が、他の車両並びに非車両環境を含む種々様々な他の環境にも適用される。
【０１０８】
要約に示したものを含む図示された実施形態の以上の説明は、網羅的でもなく、実施形態を開示した厳密な形態に制限するものでもない。特定の実施形態及び例は、説明のために本明細書に記載され、当業者によって理解されるように、開示の趣旨及び範囲から逸脱せず様々な等価な改良を行うことができる。
【０１０９】
以上その他の変更は、以上詳述した説明を考慮して実施形態に行なうことができる。一般に、以下の特許請求の範囲において、使用される用語は、特許請求の範囲を明細書に開示された特定の実施形態と特許請求の範囲に限定するように解釈されるべきでないだけなく、そのような特許請求の範囲が与える等価物の全範囲と共に全ての可能な実施形態を含むように解釈されるべきである。したがって、特許請求の範囲は、この開示によって限定されない。
【図１】
0006010619.tif 000002
【図２】
0006010619.tif 000003
【図３】
0006010619.tif 000004
【図４】
0006010619.tif 000005
【図５】
0006010619.tif 000006
【図６】
0006010619.tif 000007
【図７】
0006010619.tif 000008
【図８】
0006010619.tif 000009
【図９】
0006010619.tif 000010
【図１０】
0006010619.tif 000011
【図１１】
0006010619.tif 000012